(57)【要約】  無線リンクモニタリングを実行するための方法は、第１のＲＬＭパラメータで無線リンクモニタリング（ＲＬＭ）プロシージャをユーザ機器（ＵＥ）によって実行することと、少なくとも１つの第２のＲＬＭパラメータを含むメッセージをＵＥにおいて受信することと、第１のＲＬＭパラメータと少なくとも１つの第２のＲＬＭパラメータとの差をＵＥによって識別することと、第１のＲＬＭパラメータと少なくとも１つの第２のＲＬＭパラメータとの差を識別したことに応答して第１のＲＬＭパラメータのうちの少なくとも１つをＵＥにおいてリセットすることとを含む。本方法は、ＵＥビヘイビアが明確になり得るように、現在のＲＬＭパラメータと将来のパラメータとの差を適応させることによってＲＬＭを実行したときにＵＥを設定し得る。【選択図】図１８
2021503753.tif 000002
【特許請求の範囲】
【請求項１】
無線リンクモニタリングを実行するための方法（１８００）であって、
第１のＲＬＭパラメータで無線リンクモニタリング（ＲＬＭ）プロシージャをユーザ機器（ＵＥ）によって実行すること（１８１０）と、
少なくとも１つの第２のＲＬＭパラメータを含むメッセージを前記ＵＥにおいて受信すること（１８２０）と、
前記第１のＲＬＭパラメータと前記少なくとも１つの第２のＲＬＭパラメータとの差を前記ＵＥによって識別すること（１８３０）と、
前記第１のＲＬＭパラメータと前記少なくとも１つの第２のＲＬＭパラメータとの前記差を識別したことに応答して前記第１のＲＬＭパラメータのうちの少なくとも１つを前記ＵＥにおいてリセットすること（１８５０）と
を含む、方法。
【請求項２】
前記第１のＲＬＭパラメータ及び前記少なくとも１つの第２のＲＬＭパラメータが、同期中及び同期外れインジケーションのＲＬＭ参照信号（ＲＬＭ−ＲＳ）資源、同期中及び同期外れインジケーションのブロック誤り率（ＢＬＥＲ）、或いは同期中及び同期外れインジケーションのＲＬＭ−ＲＳ資源及びＢＬＥＲの組合せである、請求項１に記載の方法（１８００）。
【請求項３】
前記第１のＲＬＭパラメータと前記少なくとも１つの第２のＲＬＭパラメータとの前記差を識別することが、
前記第１のＲＬＭパラメータは第１のグループのＲＬＭ−ＲＳ資源であることを識別することと、
前記少なくとも１つの第２のＲＬＭパラメータは前記第１のグループのＲＬＭ−ＲＳ資源に追加された第２のグループのＲＬＭ−ＲＳ資源であることを識別することと
を含む、請求項２に記載の方法（１８００）。
【請求項４】
前記第１のグループのＲＬＭ−ＲＳ資源及び前記追加された第２のグループのＲＬＭ−ＲＳ資源を適応させることをさらに含む、請求項３に記載の方法（１８００）。
【請求項５】
前記第１のＲＬＭパラメータと前記少なくとも１つの第２のＲＬＭパラメータとの前記差を識別することが、
前記第１のＲＬＭパラメータは第１のグループのＲＬＭ−ＲＳ資源であることを識別することと、
前記少なくとも１つの第２のＲＬＭパラメータは前記第１のグループのＲＬＭ−ＲＳ資源のサブセットと置き換わる第２のグループのＲＬＭ−ＲＳ資源であることを識別することと
を含む、請求項２に記載の方法（１８００）。
【請求項６】
前記部分的に置き換えられた第１のグループのＲＬＭ−ＲＳ資源及び前記置き換わる第２のグループのＲＬＭ−ＲＳ資源を適応させることをさらに含む、請求項５に記載の方法（１８００）。
【請求項７】
前記第１のＲＬＭパラメータと前記少なくとも１つの第２のＲＬＭパラメータとの前記差を識別することが、
前記第１のＲＬＭパラメータは第１のグループのＲＬＭ−ＲＳ資源であることを識別することと、
前記少なくとも１つの第２のＲＬＭパラメータはＲＬＭ−ＲＳ資源のサブセットを有さない前記第１のグループのＲＬＭ−ＲＳ資源を含む第２のグループのＲＬＭ−ＲＳ資源であることを識別することと
を含む、請求項２に記載の方法（１８００）。
【請求項８】
ＲＬＭ−ＲＳ資源の前記サブセットを有さない前記第１のグループのＲＬＭ−ＲＳ資源を適応させることをさらに含む、請求項７に記載の方法（１８００）。
【請求項９】
前記第１のＲＬＭパラメータと前記少なくとも１つの第２のＲＬＭパラメータとの前記差を識別することが、
前記第１のＲＬＭパラメータは第１のグループのＲＬＭ−ＲＳ資源であることを識別することと、
前記少なくとも１つの第２のＲＬＭパラメータが前記第１のグループのＲＬＭ−ＲＳ資源と置き換わる第２のグループのＲＬＭ−ＲＳ資源であることを識別することと
を含む、請求項２に記載の方法（１８００）。
【請求項１０】
前記第２のグループのＲＬＭ−ＲＳ資源を適応させることをさらに含む、請求項９に記載の方法（１８００）。
【請求項１１】
前記第１のＲＬＭパラメータと前記少なくとも１つの第２のＲＬＭパラメータとの前記差を識別することが、前記少なくとも１つの第２のＲＬＭパラメータはＢＬＥＲ閾値を大きくして前記同期外れインジケーションを生成することを識別することと、
前記第１のＲＬＭパラメータのうちの少なくとも１つをリセットすることが、前記第１のＲＬＭパラメータと前記少なくとも１つの第２のＲＬＭパラメータとの前記差を識別したことに応答して少なくとも１つの同期外れカウンタをリセットすることを含む、
請求項２に記載の方法（１８００）。
【請求項１２】
前記第１のＲＬＭパラメータと前記少なくとも１つの第２のＲＬＭパラメータとの前記差を識別することが、前記少なくとも１つの第２のＲＬＭパラメータがＢＬＥＲ閾値を小さくして前記同期外れインジケーションを生成することを識別することと、
前記第１のＲＬＭパラメータのうちの少なくとも１つをリセットすることが、前記第１のＲＬＭパラメータと前記少なくとも１つの第２のＲＬＭパラメータとの前記差を識別したことに応答して少なくとも１つの同期外れカウンタをリセットすることを含む、
請求項２に記載の方法（１８００）。
【請求項１３】
前記第１のＲＬＭパラメータと前記少なくとも１つの第２のＲＬＭパラメータとの前記差を識別することが、前記少なくとも１つの第２のＲＬＭパラメータがＢＬＥＲ閾値を大きくして前記同期中インジケーションを生成することを識別することと、
前記第１のＲＬＭパラメータのうちの少なくとも１つをリセットすることが、前記第１のＲＬＭパラメータと前記少なくとも１つの第２のＲＬＭパラメータとの前記差を識別したことに応答して少なくとも１つの同期中カウンタをリセットすることを含む、
請求項２に記載の方法（１８００）。
【請求項１４】
前記第１のＲＬＭパラメータと前記少なくとも１つの第２のＲＬＭパラメータとの前記差を識別することが、前記少なくとも１つの第２のＲＬＭパラメータがＢＬＥＲ閾値を小さくして前記同期中インジケーションを生成することを識別することと、
前記第１のＲＬＭパラメータのうちの少なくとも１つをリセットすることが、前記第１のＲＬＭパラメータと前記少なくとも１つの第２のＲＬＭパラメータとの前記差を識別したことに応答して少なくとも１つの同期中カウンタをリセットすることを含む、
請求項２に記載の方法（１８００）。
【請求項１５】
前記第１のグループのＲＬＭ−ＲＳ資源が、前記第２のグループのＲＬＭ−ＲＳ資源と同タイプのＲＬＭ−ＲＳ資源ではなく、
前記ＵＥは、タイマもカウンタもリセットしない、
請求項３から１０のいずれか一項に記載の方法（１８００）。
【請求項１６】
前記第１のグループのＲＬＭ−ＲＳ資源が、前記第２のグループのＲＬＭ−ＲＳ資源と同タイプのＲＬＭ−ＲＳ資源であり、
前記ＵＥが、少なくとも１つのタイマ又はカウンタをリセットする、
請求項３から１０のいずれか一項に記載の方法（１８００）。
【請求項１７】
前記ＵＥにおいて少なくとも１つの無線リンク故障（ＲＬＦ）関連タイマを停止することをさらに含む、請求項１１から１４のいずれか一項に記載の方法（１８００）。
【請求項１８】
無線リンクモニタリングを実行するためのユーザ機器（１０００）であって、
少なくとも１つのプロセッサ（１００１）と、
前記プロセッサによって実行されるときに、
第１のＲＬＭパラメータで無線リンクモニタリング（ＲＬＭ）プロシージャを実行すること（１８１０）、
少なくとも１つの第２のＲＬＭパラメータを含むメッセージをネットワークノードから受信すること（１８２０）、
前記第１のＲＬＭパラメータと前記少なくとも１つの第２のＲＬＭパラメータとの差を識別すること（１８３０）、及び、
前記第１のＲＬＭパラメータと前記少なくとも１つの第２のＲＬＭパラメータとの前記差を識別したことに応答して前記第１のＲＬＭパラメータのうちの少なくとも１つをリセットすること（１８５０）と
を前記ユーザ機器（１０００）に行わせるプロセッサ実行可能命令を記憶する少なくとも１つのストレージ（１０１５）と
を備えた、ユーザ機器（１０００）。
【請求項１９】
前記第１のＲＬＭパラメータ及び前記少なくとも１つの第２のＲＬＭパラメータが、同期中及び同期外れインジケーションのＲＬＭ参照信号（ＲＬＭ−ＲＳ）資源、同期中及び同期外れインジケーションのブロック誤り率（ＢＬＥＲ）、或いは同期中及び同期外れインジケーションのＲＬＭ−ＲＳ資源及びＢＬＥＲの組合せである、請求項１８に記載のユーザ機器（１０００）。
【請求項２０】
前記ＵＥ（１０００）が前記第１のＲＬＭパラメータと前記少なくとも１つの第２のＲＬＭパラメータとの前記差を識別することが、
前記第１のＲＬＭパラメータは第１のグループのＲＬＭ−ＲＳ資源であることを識別することと、
前記少なくとも１つの第２のＲＬＭパラメータは前記第１のグループのＲＬＭ−ＲＳ資源に追加された第２のグループのＲＬＭ−ＲＳ資源であることを識別することと
を含む、請求項１９に記載のユーザ機器（１０００）。
【請求項２１】
前記命令がさらに、前記ＵＥ（１０００）に前記第１のグループの前記ＲＬＭ−ＲＳ資源及び前記追加された第２のグループのＲＬＭ−ＲＳ資源を適応させる、請求項２０に記載のユーザ機器（１０００）。
【請求項２２】
前記ＵＥ（１０００）が前記第１のＲＬＭパラメータと前記少なくとも１つの第２のＲＬＭパラメータとの前記差を識別することが、
前記第１のＲＬＭパラメータは第１のグループのＲＬＭ−ＲＳ資源であることを識別することと、
前記少なくとも１つの第２のＲＬＭパラメータは前記第１のグループのＲＬＭ−ＲＳ資源のサブセットと置き換わる第２のグループのＲＬＭ−ＲＳ資源であることを識別することと
を含む、請求項１９に記載のユーザ機器（１０００）。
【請求項２３】
前記命令がさらに、前記ＵＥ（１０００）に前記部分的に置き換えられた第１のグループのＲＬＭ−ＲＳ資源及び前記置き換わる第２のグループのＲＬＭ−ＲＳ資源を適応させる、請求項２２に記載のユーザ機器（１０００）。
【請求項２４】
前記ＵＥ（１０００）が前記第１のＲＬＭパラメータと前記少なくとも１つの第２のＲＬＭパラメータとの前記差を識別することが、
前記第１のＲＬＭパラメータは第１のグループのＲＬＭ−ＲＳ資源であることを識別することと、
前記少なくとも１つの第２のＲＬＭパラメータはＲＬＭ−ＲＳ資源のサブセットを有さない前記第１のグループのＲＬＭ−ＲＳ資源を含む第２のグループのＲＬＭ−ＲＳ資源であることを識別することと
を含む、請求項１９に記載のユーザ機器（１０００）。
【請求項２５】
前記命令がさらに、前記ＵＥ（１０００）に前記ＲＬＭ−ＲＳ資源のサブセットを有さない前記第１のグループのＲＬＭ−ＲＳ資源を適応させる、請求項２４に記載のユーザ機器（１０００）。
【請求項２６】
前記ＵＥ（１０００）が前記第１のＲＬＭパラメータと前記少なくとも１つの第２のＲＬＭパラメータとの前記差を識別することが、
前記第１のＲＬＭパラメータは第１のグループのＲＬＭ−ＲＳ資源であることを識別することと、
前記少なくとも１つの第２のＲＬＭパラメータは前記第１のグループのＲＬＭ−ＲＳ資源と置き換わる第２のグループのＲＬＭ−ＲＳ資源であることを識別することと
を含む、請求項１９に記載のユーザ機器（１０００）。
【請求項２７】
前記命令がさらに、前記ＵＥ（１０００）に前記第２のグループのＲＬＭ−ＲＳ資源を適応させる、請求項２６に記載のユーザ機器（１０００）。
【請求項２８】
前記ＵＥ（１０００）が前記第１のＲＬＭパラメータと前記少なくとも１つの第２のＲＬＭパラメータとの前記差を識別することが、前記少なくとも１つの第２のＲＬＭパラメータはＢＬＥＲ閾値を大きくして前記同期外れインジケーションを生成することを識別することと、
前記ＵＥ（１０００）が前記第１のＲＬＭパラメータのうちの少なくとも１つをリセットすることが、前記第１のＲＬＭパラメータと前記少なくとも１つの第２のＲＬＭパラメータとの前記差を識別したことに応答して少なくとも１つの同期外れカウンタをリセットすることを含む、
請求項１９に記載のユーザ機器（１０００）。
【請求項２９】
前記ＵＥ（１０００）が前記第１のＲＬＭパラメータと前記少なくとも１つの第２のＲＬＭパラメータとの前記差を識別することが、前記少なくとも１つの第２のＲＬＭパラメータがＢＬＥＲ閾値を小さくして前記同期外れインジケーションを生成することを識別することと、
前記ＵＥ（１０００）が前記第１のＲＬＭパラメータのうちの少なくとも１つをリセットすることが、前記第１のＲＬＭパラメータと前記少なくとも１つの第２のＲＬＭパラメータとの前記差を識別したことに応答して少なくとも１つの同期外れカウンタをリセットすることを含む、
請求項１９に記載のユーザ機器（１０００）。
【請求項３０】
前記ＵＥ（１０００）が前記第１のＲＬＭパラメータと前記少なくとも１つの第２のＲＬＭパラメータとの前記差を識別することが、前記少なくとも１つの第２のＲＬＭパラメータがＢＬＥＲ閾値を大きくして前記同期中インジケーションを生成することを識別することと、
前記ＵＥ（１０００）が前記第１のＲＬＭパラメータのうちの少なくとも１つをリセットすることが、前記第１のＲＬＭパラメータと前記少なくとも１つの第２のＲＬＭパラメータとの前記差を識別したことに応答して少なくとも１つの同期中カウンタをリセットすることを含む、
請求項１９に記載のユーザ機器（１０００）。
【請求項３１】
前記ＵＥ（１０００）が前記第１のＲＬＭパラメータと前記少なくとも１つの第２のＲＬＭパラメータとの前記差を識別することが、前記少なくとも１つの第２のＲＬＭパラメータがＢＬＥＲ閾値を小さくして前記同期中インジケーションを生成することを識別することと、
前記第１のＲＬＭパラメータのうちの少なくとも１つをリセットすることが、前記第１のＲＬＭパラメータと前記少なくとも１つの第２のＲＬＭパラメータとの前記差を識別したことに応答して少なくとも１つの同期中カウンタをリセットすることを含む、
請求項１９に記載のユーザ機器（１０００）。
【請求項３２】
前記第１のグループのＲＬＭ−ＲＳ資源が、前記第２のグループのＲＬＭ−ＲＳ資源と同タイプのＲＬＭ−ＲＳ資源ではないとき、
前記ＵＥ（１０００）が、タイマもカウンタもリセットしない、
請求項２０から２７のいずれか一項に記載のユーザ機器（１０００）。
【請求項３３】
前記第１のグループのＲＬＭ−ＲＳ資源が、前記第２のグループのＲＬＭ−ＲＳ資源と同タイプのＲＬＭ−ＲＳ資源であるとき、
前記ＵＥ（１０００）が、少なくとも１つのタイマ又はカウンタをリセットする、
請求項２０から２７のいずれか一項に記載のユーザ機器（１０００）。
【請求項３４】
前記命令がさらに、前記ＵＥ（１０００）に少なくとも１つの無線リンク故障（ＲＬＦ）関連タイマを停止させる、請求項２８から３１のいずれか一項に記載のユーザ機器（１０００）。
【請求項３５】
ユーザ機器（１０００）及びネットワークノード（９６０）を備えた無線リンクモニタリングを実行するための通信システムであって、
前記ユーザ機器（ＵＥ）（１０００）が、
第１のＲＬＭパラメータで無線リンクモニタリング（ＲＬＭ）プロシージャを実行すること（１８１０）と、
少なくとも１つの第２のＲＬＭパラメータを含むメッセージをネットワークノード（９６０）から受信すること（１８２０）と、
前記第１のＲＬＭパラメータと前記少なくとも１つの第２のＲＬＭパラメータとの差を識別すること（１８３０）と、
前記第１のＲＬＭパラメータと前記少なくとも１つの第２のＲＬＭパラメータとの前記差を識別したことに応答して前記第１のＲＬＭパラメータのうちの少なくとも１つをリセットすること（１８５０）と
を行うように設定された少なくとも１つのプロセッサ（１００１）を備える、通信システム。
【発明の詳細な説明】
【技術分野】
【０００１】
特定の実施形態は、ユーザ機器（ＵＥ：ｕｓｅｒ  ｅｑｕｉｐｍｅｎｔ）の再設定の分野に関し、より詳細には、無線リンクモニタリング（ＲＬＭ：  ｒａｄｉｏ  ｌｉｎｋ  ｍｏｎｉｔｏｒｉｎｇ）を実行するＵＥでＵＥを再設定するための方法、装置及びシステムに関する。
【背景技術】
【０００２】
５Ｇ又は次世代とも呼ばれる新無線（ＮＲ：ｎｅｗ  ｒａｄｉｏ）において、ＮＲアーキテクチャが、３ＧＰＰにおいて議論され、本概念は図１に示されており、そこで、ｅＮＢはＬＴＥ  ｅＮｏｄｅＢを示し、ｇＮＢ及びｎｇ−ｅＮＢ又はエボルブドｅＮＢは、ＮＲ基地局（ＢＳ：ｂａｓｅ  ｓｔａｔｉｏｎ）を示し、そこで１つのＮＲ  ＢＳは、１つ又は複数の送信／受信ポイントに対応し得、ノード間の線は、３ＧＰＰにおいて議論されている対応するインターフェースを示す。さらに、図２は、３ＧＰＰにおいて議論されているＮＲ  ＢＳを有する配備シナリオを示す。
【０００３】
ＮＲのマルチアンテナ方式が、現在、３ＧＰＰにおいて議論されている。ＮＲについて、１００ＧＨｚまでの周波数範囲が検討されている。６ＧＨｚを超える高周波数無線通信は、重大な経路損失及び透過損失を被る。したがって、ＮＲのための大規模ＭＩＭＯ方式が、検討されている。
【０００４】
大規模ＭＩＭＯを用いて、ビーム形成の３つの手法が議論された：アナログ、デジタル、ハイブリッド、及びその２つの組合せ。ハイブリッドビーム形成の例示的な図が、図３に示されている。ビーム形成は、送信ビーム及び／又は受信ビーム、ネットワーク側又はＵＥ側についてでもよい。
【０００５】
図４ａ及び４ｂは、それぞれ、２つのサブアレイ及び３つのサブアレイを有する例示的ビーム掃引を示す。ビーム掃引に関して、サブアレイのアナログビームは、各ＯＦＤＭシンボルで単一方向に向けられ得、したがって、サブアレイの数は、ビーム方向の数及び各ＯＦＤＭシンボルの対応するカバレッジを決定する。しかしながら、サービングエリア全体をカバーするビームの数は、通常は、特に個々のビーム幅が狭いときには、サブアレイの数より多い。したがって、サービングエリア全体をカバーするために、時間領域内で異なる方向に向けられた狭いビームを有する複数の送信もまた必要とされることが見込まれる。これを目的とする複数の狭いカバレッジビームの提供は、「ビーム掃引」と呼ばれている。アナログ及びハイブリッドビーム形成について、ビーム掃引は、ＮＲにおいて基本カバレッジを提供するために必須であると思われる。これを目的として、異なる方向に向けられたビームがサブアレイを介してそこで送信され得る、複数のＯＦＤＭシンボルが、割り当てられ、周期的に送信され得る。
【０００６】
図５は、ＳＳブロック、ＳＳバースト及びＳＳバーストセット／シリーズの例示的設定を示す。図５は、他の実施形態において想定され得る同期信号（ＳＳ：ｓｙｎｃｈｒｏｎｉｚａｔｉｏｎ  ｓｉｇｎａｌ）ブロック及びＳＳバースト設定の非制限的例を説明する。ＳＳブロックに含まれる信号は、周波数内、周波数間、及び別のＲＡＴからのＮＲ測定結果であるＲＡＴ間を含む、ＮＲキャリアの測定結果について使用され得る。ＳＳブロックは、ＳＳ／物理ブロードキャストチャンネル（ＰＢＣＨ：Ｐｈｙｓｉｃａｌ  Ｂｒｏａｄｃａｓｔ  Ｃｈａｎｎｅｌ）ブロック又はＳＳブロック（ＳＳＢ：ＳＳ  ｂｌｏｃｋ）とも称され得る。
【０００７】
ＮＲ１次同期信号（ＰＳＳ：ｐｒｉｍａｒｙ  ｓｙｎｃｈｒｏｎｉｚａｔｉｏｎ  ｓｉｇｎａｌ）、ＮＲ２次同期信号（ＳＳＳ：ｓｅｃｏｎｄａｒｙ  ｓｙｎｃｈｒｏｎｉｚａｔｉｏｎ  ｓｉｇｎａｌ）及び／又はＮＲ−ＰＢＣＨは、ＳＳブロック内で送信され得る。所与の周波数帯域について、ＳＳブロックは、デフォルト又は設定された１つのサブキャリア間隔に基づくいくつかのＮ  ＯＦＤＭシンボルに対応し、Ｎは定数である。ＵＥは、少なくともＯＦＤＭシンボルインデックス、無線フレーム内のスロットインデックス及びＳＳブロックからの無線フレーム番号を識別することができ得る。無線フレームに関する又はＳＳバーストセットに関する単一セットの可能なＳＳブロック時間位置が、周波数帯域ごとに指定される。少なくともマルチビームの場合、少なくとも、ＳＳブロックの時間インデックスが、ＵＥに指示される。実際の送信されるＳＳブロックの場所が、ＣＯＮＮＥＣＴＥＤ／ＩＤＬＥモード測定を助けるために、ＣＯＮＮＥＣＴＥＤモードＵＥが未使用のＳＳブロックにおいてＤＬデータ／制御を受信するのを助けるために、及び潜在的にＩＤＬＥモードＵＥが未使用のＳＳブロックにおいてＤＬデータ／制御を受信するのを助けるために、通知され得る。異なる周波数範囲について、ＳＳバーストセット内のＳＳブロックの最大数、Ｌ、は、３ＧＨｚまでの周波数範囲については４、３ＧＨｚから６ＧＨｚまでの周波数範囲については８、又は６ＧＨｚから５２．６ＧＨｚまでの周波数範囲については６４である。
【０００８】
ＳＳバーストセットに関して、１つ又は複数のＳＳバーストは、ＳＳバーストセット又はシリーズをさらに含み、ＳＳバーストセット内のＳＳバーストの数は有限である。物理レイヤ仕様の観点から、ＳＳバーストセットの少なくとも１つの周期性がサポートされる。ＵＥの観点から、ＳＳバーストセット送信は周期的である。ＵＥの観点から、ＳＳバーストセット送信は、周期的である。少なくとも初期セル選択について、ＵＥは、所与のキャリア周波数のＳＳバーストセット送信のデフォルト周期性、たとえば、５ｍｓ、１０ｍｓ、２０ｍｓ、４０ｍｓ、８０ｍｓ、又は１６０ｍｓのうちの１つ、を想定し得る。ＵＥは、所与のＳＳブロックはＳＳバーストセット周期性で繰り返されると想定し得る。デフォルトで、ＵＥは、ｇＮＢが同数の物理ビームを送信することも、ＳＳバーストセット内の異なるＳＳブロックにわたり同じ物理ビームを送信することも想定しなくてもよい。特別な場合に、ＳＳバーストセットは、１つのＳＳバーストを含み得る。
【０００９】
各キャリアについて、ＳＳブロックは、完全に又は少なくとも部分的に時間合わせされ得る又は重複し得る、或いは、送信されるＳＳブロックの実際の数が異なるセルにおいて異なるとき、ＳＳブロックの開始が、時間合わせされ得る。
【００１０】
図６は、時間スロット内の及び５ｍｓウインドウ内のＳＳブロックの例示的マッピングを示す。バーストセット内のすべてのＳＳブロックは、５ｍｓウインドウ内にあるが、そのようなウインドウのＳＳブロックの数は、ヌメロロジ、たとえば２４０ｋＨｚサブキャリア間隔を有して６４ＳＳブロックまで、に依存する。
【００１１】
無線リンクモニタリング（ＲＬＭ）の目的は、ＵＥのサービングセルの無線リンク品質をモニタし、その情報を使用して、そのサービングセルに関してＵＥが同期中か同期外れかを判定することである。ＬＴＥにおいて、ＲＬＭは、ＵＥがＲＲＣ＿ＣＯＮＮＥＣＴＥＤ状態においてダウンリンク参照シンボル（ＣＲＳ）の測定を実行することによって、実施される。無線リンクモニタリングの結果が、いくつかの連続的同期外れ（ＯＯＳ：ｏｕｔ  ｏｆ  ｓｙｎｃ）インジケーションを示す場合、次いで、ＵＥは、ＲＬＦプロシージャを開始し、ＲＬＦ時間（たとえば、Ｔ３１０）の満了後に無線リンク故障（ＲＬＦ：ｒａｄｉｏ  ｌｉｎｋ  ｆａｉｌｕｒｅ）を宣言する。実際のプロシージャは、推定されたダウンリンク参照シンボル測定結果をいくつかの目標ＢＬＥＲ、Ｑｏｕｔ及びＱｉｎ、と比較することによって、実施される。Ｑｏｕｔ及びＱｉｎは、サービングセルからの仮説的物理ダウンリンク制御チャンネル（ＰＤＣＣＨ：ｐｈｙｓｉｃａｌ  ｄｏｗｎｌｉｎｋ  ｃｏｎｔｒｏｌ  ｃｈａｎｎｅｌ）／物理制御フォーマットインジケータチャンネル（ＰＣＩＦＣＨ：ｐｈｙｓｉｃａｌ  ｃｏｎｔｒｏｌ  ｉｎｄｉｃａｔｏ  ｃｈａｎｎｅｌ）送信のブロック誤り率（ＢＬＥＲ：ｂｌｏｃｋ  ｅｒｒｏｒ  ｒａｔｅ）に対応する。Ｑｏｕｔ及びＱｉｎの例は、それぞれ、１０％と２％である。
【００１２】
図７は、ＬＴＥにおける例示的無線リンク故障を示す。ＬＴＥにおける本ＲＬＦプロシージャは、図７に示すように、２つのフェーズを有する。第１のフェーズは、無線問題検出時に開始し、無線リンク故障検出をもたらす。ＲＲＣ回復フェーズである第２のフェーズは、無線リンク故障検出又はハンドオーバ失敗時に開始し、ＲＲＣ回復が失敗した場合にＲＲＣ＿ＩＤＬＥをもたらす。
【００１３】
単一キャリア及びキャリアアグリゲーション（ＣＡ）について、ＰＣｅｌｌがＲＬＦを経験するとき、復元（ｒｅ−ｅｓｔａｂｌｉｓｈｍｅｎｔ）がトリガされる。ＵＥは、ｅＮＢによってモニタされる、ＳＣｅｌｌのＲＬＦをモニタしない。
【００１４】
デュアルコネクティビティ（ＤＣ：Ｄｕａｌ  Ｃｏｎｎｅｃｔｉｖｉｔｙ）について、無線リンク故障プロシージャの第１のフェーズは、ＰＣｅｌｌ及びＰＳＣｅｌｌについてサポートされる。ＰＣｅｌｌがＲＬＦを経験するとき、復元がトリガされる。しかしながら、ＰＳＣｅｌｌでＲＬＦを検出したとき、復元プロシージャは、第１のフェーズの最後にトリガされない。代わりに、ＵＥは、ＰＳＣｅｌｌの無線リンク故障をＭｅＮＢに知らせる。
【００１５】
ＲＬＦは、レイヤ１（Ｌ１、別称、物理レイヤ若しくはＰＨＹ）又はレイヤ２（Ｌ２）によってトリガされ得、次いで、レイヤ３（Ｌ３）に報告される。ＲＬＭは、下位レイヤからのＮ３１０連続的「同期外れ」インジケーションを受信した及び「同期中」でない無回復のとき、Ｌ１トリガの責任を有する。Ｌ２トリガは、たとえば、再送信の最大数が達せられたというＲＬＣからのインジケーションに基づき得る、又はＭＡＣからのランダムアクセス問題インジケーションに基づき得る。
2021503753.tif 000003
【００１６】
ＮＲにおけるＲＬＦ処理に関して、ＲＬＭ機能性がＮＲにおいてかなり変化した、言い換えれば、ＲＳタイプ、モニタされるべき正確な資源、及びＩＳ及びＯＯＳインジケーションのＢＬＥＲさえもネットワークが規定し得る、より設定可能なプロシージャが規定された一方で、ＲＬＦは、ＬＴＥに比べてＮＲにおいて大きな変化を有さなかった。ＲＡＮ２において、以下のことが、プラハで、ＲＡＮ２＃９９−ｂｉｓにおいて合意された：
合意
１．ＲＬＦ検出が、ＲＲＣ仕様においてＮＲについて指定されることになる（ＬＴＥにおけるように）
２．Ｄｅｃ１７について、ＲＬＦは、Ｌ１からの周期的ＩＳ／ＯＯＳインジケーションに基づくことになる（すなわち、これはＬＴＥと同じフレームワークである）
【００１７】
ＲＬＦは、スポーケンにおいてＲＡＮ２＃９７−ｂｉｓでＮＲについて議論され、以下が合意された：
合意
１．接続モードについて、ＵＥは、ＤＬ  ＯＯＳ検出、ランダムアクセスプロシージャ故障検出、及びＲＬＣ故障検出によるタイマ満了時にＲＬＦを宣言する。
ＦＦＳ  最大ＡＲＱ再送信がＲＬＣ故障の唯一の基準であるかどうか（共通ＵＰ／ＣＰセッションにおいて議論される必要がある）。
２．ＮＲ  ＲＬＭプロシージャにおいて、物理レイヤは、同期外れ／同期中インジケーションを実行し、ＲＲＣは、ＲＬＦを宣言する。
３．ＲＬＦを目的として、同期中／同期外れインジケーションはセルインジケーションごとであるべきということがＲＡＮ２の選択であり、我々は、マルチビーム及び単一ビームの両方の動作について単一プロシージャを目指す。
【００１８】
次いで、ベルリンで、ＲＡＮ２＃９９において、以下が合意された：
合意
１．少なくともＰＨＹはＲＲＣに周期的同期外れ／同期中インジケーションを通知するというＲＡＮ１合意のＲＡＮ２の理解。
２．ビーム故障／回復に関連する下位レイヤからのインジケーションがないときのベースラインビヘイビア：
ｉ／連続的Ｎ１個の周期的同期外れインジケーションが受信された場合、ＲＲＣはＤＬ無線リンク問題を検出する。
ｉｉ／タイマが実行する間に連続的Ｎ２個の周期的同期中インジケーションが受信された場合、ＲＲＣはタイマを停止する。
【００１９】
言い換えれば、ＬＴＥにおいてのように、ＮＲにおけるＲＬＦはカウンタ、Ｎ３１０、Ｎ３１１、Ｎ３１３、Ｎ３１４、及びタイマ、３１０、Ｔ３１１、Ｔ３０１、Ｔ３１３、Ｔ３１４、から選択されたパラメータ又は同等のもののうちのいずれか１つによっても管理されることになると想定することができる。
【００２０】
したがって、ある程度までＬＴＥにおいてのように類似のビヘイビアを予期することができる。下文で、それは、ＮＲについて最近合意されたように、ＲＬＦ変数がＮＲ及びＵＥビヘイビアにおいて設定され得るやり方を複製する。
【００２１】
無線リンク故障関連アクションに関して、ＲＲＣ＿ＣＯＮＮＥＣＴＥＤにおいて物理レイヤ問題を検出したことに応答して、ＵＥは、以下を行うことになる：
１＞Ｔ３１１が実行していない間に、下位レイヤからＰＣｅｌｌのＮ３１０連続的「同期外れ」インジケーションを受信したとき：
２＞タイマＴ３１０を開始、
１＞Ｔ３０７が実行していない間に、下位レイヤからＰＳＣｅｌｌのＮ３１３連続的「同期外れ」インジケーションを受信したとき：
２＞Ｔ３１３を開始、
ＦＦＳ：どの条件下で物理レイヤ問題検出は実行されるか、たとえば、Ｔ３００、Ｔ３０１、Ｔ３０４又はＴ３１１のいずれも実行していない。それは、ＲＲＣ接続確立／レジューム／復元及びＲＲＣ接続再設定のためのＲＲＣプロシージャの調和を条件とする。
ＦＦＳ：タイマの命名。
【００２２】
物理レイヤ問題の回復に関して、Ｔ３１０が実行している間に、下位レイヤからＰＣｅｌｌのＮ３１１連続的「同期中」インジケーションを受信したとき、ＵＥは、以下を行うことになる：
１＞タイマＴ３１０を停止、
ＦＦＳ：ＮＲにおける早期のＲＬＦ宣言についてＴ３１２をサポートするかどうか。
注１：この場合、ＵＥは、明示的シグナリングなしにＲＲＣ接続を維持する、すなわち、ＵＥは、無線資源設定全体を維持する。
注２：レイヤ１によって「同期中」も「同期外れ」も報告されない期間は、連続的「同期中」又は「同期外れ」インジケーションの数の評価に影響を及ぼさない。
【００２３】
Ｔ３１３が実行している間に、下位レイヤからＰＳＣｅｌｌのＮ３１４連続的「同期中」インジケーションを受信したとき、ＵＥは、以下を行うことになる：
１＞タイマＴ３１３を停止。
【００２４】
無線リンク故障を検出したとき、ＵＥは、以下を行うことになる：
１＞Ｔ３１０が満了したとき、又は、
１＞Ｔ３１１が実行していない間に、ＭＣＧ  ＭＡＣからのランダムアクセス問題インジケーションを受けて、或いは、
ＦＦＳ：どの条件下で物理レイヤ問題検出が実行されるか、たとえば、Ｔ３００、Ｔ３０１、Ｔ３０４又はＴ３１１のいずれも実行していない。それは、ＲＲＣ接続確立／レジューム／復元及びＲＲＣ接続再設定のためのＲＲＣプロシージャの調和を条件とする。
１＞ＳＲＢについての又はＭＣＧ若しくはスプリットＤＲＢについての再送信の最大数が達せられたというＭＣＧ  ＲＬＣからのインジケーションを受けて：
ＦＦＳ  最大ＡＲＱ再送信がＲＬＣ故障の唯一の基準であるかどうか。
２＞ＭＣＧについて検出されることになる無線リンク故障を考慮する、すなわち、ＲＬＦ、
ＦＦＳ  ビーム故障回復に関連するインジケーションはＲＬＦの宣言に影響を及ぼし得るかどうか。
ＦＦＳ：ＭＣＧ  ＤＲＢ及びＳＲＢのＣＡ重複におけるＲＬＣ故障にどのように対処するか。
ＦＦＳ：測定報告に関連するＲＬＦ、たとえばＶａｒＲＬＦ報告、が、ＮＲにおいてサポートされる。
２＞ＡＳセキュリティがアクティブにされなかった場合：
３＞リリース原因「他」を有して、ｘ．ｘ．ｘで指定されているようにＲＲＣ＿ＣＯＮＮＥＣＴＥＤを離れたときにアクションを実行する、
２＞さもなければ：
３＞ｘ．ｘ．ｘで指定されているように接続復元プロシージャを開始する、
【００２５】
そうでない場合、ＵＥは、以下を行うことになる：
１＞Ｔ３１３満了時に、又は、
１＞ＳＣＧ  ＭＡＣからのランダムアクセス問題インジケーションを受けて、又は、
１＞ＳＣＧ  ＳＲＢ、ＳＣＧ又はスプリットＤＲＢについて再送信の最大数が達せられたというＳＣＧ  ＲＬＣからのインジケーションを受けて：
２＞ＳＣＧについて検出されることになる無線リンク故障、すなわちＳＣＧ−ＲＬＦ、を考慮する、
ＦＦＳ：ＳＣＧ  ＤＲＢ及びＳＲＢについてのＣＡ重複におけるＲＬＣ故障にどのように対処するか。
２＞５．６．４で指定されているようなＳＣＧ故障情報プロシージャを開始し、ＳＣＧ無線リンク故障を報告する。
【００２６】
以下のテーブル２は、無線リンク故障に関連するタイマを示す。
2021503753.tif 000004
【００２７】
以下のテーブル３は、無線リンク故障に関連する定数を示す。
2021503753.tif 000005
【００２８】
ＩＥ  ＲＬＦ−ＴｉｍｅｒｓＡｎｄＣｏｎｓｔａｎｔｓは、ＵＥ特有のタイマ及びＲＲＣ＿ＣＯＮＮＥＣＴＥＤにおいてＵＥについて適用可能な定数を含む。
2021503753.tif 000006
【００２９】
ＲＬＭは、通常は、参照シンボル、たとえば、セル特有の参照シンボル（ＣＲＳ：ｃｅｌｌ  ｓｐｅｃｉｆｉｃ  ｒｅｆｅｒｅｎｃｅ  ｓｙｍｂｏｌ）、での信号対雑音及び干渉比（ＳＩＮＲ：ｓｉｇｎａｌ  ｔｏ  ｎｏｉｓｅ  ａｎｄ  ｉｎｔｅｒｆｅｒｅｎｃｅ  ｒａｔｉｏ）など、メトリックをＵＥが推定することによってＬＴＥにおいて実行される。品質メトリック（たとえば、ＳＩＮＲ）は標準化されないが、そうではなくて、同期外れ（Ｑｏｕｔ）及び同期中（Ｑｉｎ）のＰＤＣＣＨブロックエラー（ＢＬＥＲ）閾値、たとえば１０％及び２％、が指定される。ＵＥが、ＢＬＥＲがＱｏｕｔより大きいときに同期外れを検出し、ＢＬＥＲがＱｉｎより小さいときに同期中を検出するように、ＵＥは、その品質測定（たとえば、ＳＩＮＲ）を使用していわゆる仮説的ＰＤＣＣＨ  ＢＬＥＲのＢＬＥＲを推定することが予期される。ＵＥを目標とするＰＤＣＣＨ送信が存在しないときでも、そのＢＬＥＲはＲＳからＵＥによって推定され得るので、そのＢＬＥＲは仮説的ＢＬＥＲと称される。無線チャンネルの短期フェーディングに応答して同期外れ又は同期中インジケーションを送ることは望ましくないので、いわゆる評価期間が、Ｑｉｎ及びＱｏｕｔ評価のために指定される。評価期間は、本明細書では固定であり、前記のテーブルにおいて述べられた高位レイヤの設定可能なタイマ及びカウンタに加えてレイヤ１によって実行される。
【００３０】
ＮＲにおけるＲＬＭに関して、ＬＴＥと比較した、ＮＲ  ＲＬＭ機能性の主な差のうちの１つは、ＵＥアクションが、ネットワークによって設定されたパラメータに依存しないように、ＬＴＥにおけるＲＬＭ機能性が本明細書において説明されているということである。他方で、ＮＲにおいて、広範囲の周波数と想定されている配備及びサービスの多様性とにより、ＲＬＭは、完全に設定可能なプロシージャである。ＮＲにおいて、測定されるＳＩＮＲ値が、高位レイヤに指示されることになるＩＳ／ＯＯＳイベントを生成するために、それらにマップされ得るように、ネットワークは、異なるＲＳタイプ（ＳＳ／ＰＢＣＨブロック及びＣＳＩ−ＲＳ）、モニタされるべき正確な資源及び正確な数に基づいてＲＬＭを実行してＩＳ／ＯＯＳインジケーション、及びＢＬＥＲ閾値を生成するようにＵＥを設定することができる。
【００３１】
ＮＲにおけるＲＬＭが、ネットワークによって設定された８つまでの予備ＲＬＭ  ＲＳ資源に基づいて実行され、そこで、１つのＲＬＭ−ＲＳ資源は、１つのＳＳ／ＰＢＣＨブロック又は１つのＣＳＩ−ＲＳ資源／ポートのいずれかでもよく、或いは、そこで、ＲＬＭ−ＲＳ資源は、少なくともＣＳＩ−ＲＳベースのＲＬＭの場合にＵＥ特有に設定される。
【００３２】
ＵＥが、１つ又は複数のＲＬＭ−ＲＳ資源でＲＬＭを実行するように設定されるとき、すべての設定されたＸ  ＲＬＭ−ＲＳ資源の中で少なくともＹ＝１  ＲＬＭ−ＲＳ資源に基づく仮説的ＰＤＣＣＨ  ＢＬＥＲに対応する推定されたリンク品質が、前述のＱｉｎ閾値を上回る場合に、周期的ＩＳ（同期中）が指示され、そして、すべての設定されたＸ  ＲＬＭ−ＲＳ資源に基づく仮説的ＰＤＣＣＨ  ＢＬＥＲに対応する推定されたリンク品質が、Ｑｏｕｔ閾値未満である場合に、周期的ＯＯＳが指示される。
【００３３】
セル品質導出機構が類似しているので、同じ問題が、ＲＲＣ＿ＣＯＮＮＥＣＴＥＤ状態モビリティ、すなわちハンドオーバ、のサポートのためのセル品質導出に適用される。その結果は、より多くのビームを有するセルの場合と比較して、より少ないビームを有するセルのセル品質によってトリガされた場合、Ｎ＞１の測定報告がより早くトリガされることになるという、逆効果でもあり、準最適ハンドオーバ判定をもたらし得るものである。
【００３４】
ＮＲにおけるＲＬＭは、設定可能なプロシージャなので、ネットワークは、ＵＥが高位レイヤへのＩＳ及びＯＯＳインジケーションをどのように生成するかに影響を及ぼす異なるパラメータを用いて、たとえば、ＲＲＣＣｏｎｆｉｇｕｒａｔｉｏｎメッセージを介して、ＵＥを設定することができる。ＵＥが接続を確立する（たとえば、ＲＲＣ＿ＩＤＬＥからＲＲＣ＿ＣＯＮＮＥＣＴＥＤ状態に移る）とき、ＵＥがＲＲＣ接続をレジュームする（たとえば、ＲＲＣ＿ＩＮＡＣＴＩＶＥからＲＲＣ＿ＣＯＮＮＥＣＴＥＤ状態に移る）とき、ＵＥが目標セルへのハンドオーバを実行するとき、ビーム故障を検出したときに、ＵＥがビーム回復を実行するとき、或いは、ネットワークが、ＵＥがモニタする必要のある制御チャンネルの設定が変更されたときなどの他の理由で、前に提供されたパラメータを再設定することを決定するとき、ＲＬＭパラメータが、提供され得る。
【００３５】
ＲＬＭパラメータを設定又は再設定したとき、ＵＥビヘイビアは、不明確であり、モニタされることになるＲＬＭ  ＲＳ資源のセットを設定又は再設定したとき、或いは高位レイヤへのＩＳ及びＯＯＳインジケーションを生成するためのＢＬＥＲ閾値ペアを設定又は再設定したときにＵＥは何をすることになるかに関して現在指定されていない。ある種のシナリオにおいて、ネットワークが、ＲＳタイプを変更せずに、たとえば、ＣＳＩ−ＲＳ又はＳＳ／ＰＢＣＨブロックが変わらないままで、ＲＬＭ  ＲＳ資源を追加する又は取り除くとき、或いはネットワークが、異なるＲＳタイプからでもよいＲＬＭ  ＲＳ資源を追加又は取り除くとき、たとえば、ＵＥがＣＳＩ−ＲＳ資源のセットのみをモニタしており、ネットワークのセットはＳＳ／ＰＢＣＨブロックを追加する及びＣＳＩ−ＲＳ資源のセットを取り除く、又はその逆の場合、ＲＬＭ  ＲＳ資源のセットが変更されることは、１つ又は複数の新しいＲＬＭ  ＲＳが追加される、１つ又は複数が取り除かれる、或いは１つ又は複数が変更される又は他に置き換えられることを意味する。
【発明の概要】
【００３６】
既存の解決法での前述の問題に対処するために、ＵＥが実行している現在のＲＬＭパラメータとＵＥが適応させようとしている将来のＲＬＭパラメータとの差を識別することによってＵＥを設定したときに無線リンクモニタリングを実行するための方法、ユーザ機器（ＵＥ）、及び通信システムが開示される。本開示は、現在のＲＬＭパラメータでＵＥが実行するときに将来のＲＬＭパラメータを用いてＵＥを設定するための解決法を実装する。したがって、ＵＥビヘイビアは、設定又は再設定中に明確である。
【００３７】
いくつかの実施形態が、本開示おいて詳述される。１つの実施形態によれば、無線リンクモニタリングを実行するための方法は、第１のＲＬＭパラメータでＲＬＭプロシージャをＵＥによって実行することを含む。本方法は、追加で、少なくとも１つの第２のＲＬＭパラメータを含むメッセージをＵＥにおいて受信することを含む。本方法はさらに、第１のＲＬＭパラメータと第２のＲＬＭパラメータとの差をＵＥによって識別することを含む。本方法はさらに、第１のＲＬＭパラメータと第２のＲＬＭパラメータとの差を識別したことに応答して第１のＲＬＭパラメータのうちの少なくとも１つをＵＥにおいてリセットすることを含む。
【００３８】
１つの実施形態において、第１のＲＬＭパラメータ及び第２のＲＬＭパラメータは、同期中及び同期外れインジケーションのＲＬＭ参照信号（ＲＬＭ−ＲＳ：ＲＬＭ  ｒｅｆｅｒｅｎｃｅ  ｓｉｇｎａｌ）資源、同期中及び同期外れインジケーションのブロック誤り率（ＢＬＥＲ）、或いは同期中及び同期外れインジケーションのＲＬＭ−ＲＳ資源及びＢＬＥＲの組合せである。
【００３９】
１つの実施形態において、第１のＲＬＭパラメータと第２のＲＬＭパラメータとの差を識別することは、第１のＲＬＭパラメータは第１のグループのＲＬＭ−ＲＳ資源であることを識別することと、第２のＲＬＭパラメータは第１のグループのＲＬＭ−ＲＳ資源に追加された第２のグループのＲＬＭ−ＲＳ資源であることを識別することとを含む。１つの実施形態において、本方法はさらに、第１のグループのＲＬＭ−ＲＳ資源及び追加された第２のグループのＲＬＭ−ＲＳ資源を適応させることを含む。
【００４０】
１つの実施形態において、第１のＲＬＭパラメータと第２のＲＬＭパラメータとの差を識別することは、第１のＲＬＭパラメータは第１のグループのＲＬＭ−ＲＳ資源であることを識別することと、第２のＲＬＭパラメータは第１のグループのＲＬＭ−ＲＳ資源のサブセットと置き換わる第２のグループのＲＬＭ−ＲＳ資源であることを識別することとを含む。１つの実施形態において、本方法はさらに、部分的に置き換えられた第１のグループのＲＬＭ−ＲＳ資源及び置き換わる第２のグループのＲＬＭ−ＲＳ資源を適応させることを含む。
【００４１】
１つの実施形態において、第１のＲＬＭパラメータと第２のＲＬＭパラメータとの差を識別することは、第１のＲＬＭパラメータは第１のグループのＲＬＭ−ＲＳ資源であることを識別することと、第２のＲＬＭパラメータはＲＬＭ−ＲＳ資源のサブセットを有さない第１のグループのＲＬＭ−ＲＳ資源を含む第２のグループのＲＬＭ−ＲＳ資源であることを識別することとを含む。１つの実施形態において、本方法はさらに、ＲＬＭ−ＲＳ資源のサブセットを有さない第１のグループのＲＬＭ−ＲＳ資源を適応させることを含む。
【００４２】
１つの実施形態において、第１のＲＬＭパラメータと第２のＲＬＭパラメータとの差を識別することは、第１のＲＬＭパラメータは第１のグループのＲＬＭ−ＲＳ資源であることを識別することと、第２のＲＬＭパラメータは第１のグループのＲＬＭ−ＲＳ資源と置き換わる第２のグループのＲＬＭ−ＲＳ資源であることを識別することとを含む。１つの実施形態において、本方法はさらに、第２のグループのＲＬＭ−ＲＳ資源を適応させることを含む。
【００４３】
１つの実施形態において、第１のＲＬＭパラメータと第２のＲＬＭパラメータとの差を識別することは、少なくとも１つの第２のＲＬＭパラメータはＢＬＥＲ閾値を大きくして同期外れインジケーションを生成することを識別することを含む。１つの実施形態において、第１のＲＬＭパラメータのうちの少なくとも１つをリセットすることは、第１のＲＬＭパラメータと第２のＲＬＭパラメータとの差を識別したことに応答して少なくとも１つの同期外れカウンタをリセットすることを含む。
【００４４】
１つの実施形態において、第１のＲＬＭパラメータと少なくとも１つの第２のＲＬＭパラメータとの差を識別することは、少なくとも１つの第２のＲＬＭパラメータがＢＬＥＲ閾値を小さくして同期外れインジケーションを生成することを識別することを含む。１つの実施形態において、第１のＲＬＭパラメータのうちの少なくとも１つをリセットすることは、第１のＲＬＭパラメータと第２のＲＬＭパラメータとの差を識別したことに応答して少なくとも１つの同期外れカウンタをリセットすることを含む。
【００４５】
１つの実施形態において、第１のＲＬＭパラメータと少なくとも１つの第２のＲＬＭパラメータとの差を識別することは、少なくとも１つの第２のＲＬＭパラメータがＢＬＥＲ閾値を大きくして同期中インジケーションを生成することを識別することを含む。１つの実施形態において、第１のＲＬＭパラメータのうちの少なくとも１つをリセットすることは、第１のＲＬＭパラメータと第２のＲＬＭパラメータとの差を識別したことに応答して少なくとも１つの同期中カウンタをリセットすることを含む。
【００４６】
１つの実施形態において、第１のＲＬＭパラメータと少なくとも１つの第２のＲＬＭパラメータとの差を識別することが、少なくとも１つの第２のＲＬＭパラメータがＢＬＥＲ閾値を小さくして同期中インジケーションを生成することを識別することを含む。１つの実施形態において、第１のＲＬＭパラメータのうちの少なくとも１つをリセットすることは、第１のＲＬＭパラメータと第２のＲＬＭパラメータとの差を識別したことに応答して少なくとも１つの同期中カウンタをリセットすることを含む。
【００４７】
１つの実施形態において、第１のグループのＲＬＭ−ＲＳ資源が、第２のグループのＲＬＭ−ＲＳ資源と同タイプのＲＬＭ−ＲＳ資源ではないとき、ＵＥは、タイマもカウンタもリセットしない。
【００４８】
１つの実施形態において、第１のグループのＲＬＭ−ＲＳ資源が、第２のグループのＲＬＭ−ＲＳ資源と同タイプのＲＬＭ−ＲＳ資源であるとき、ＵＥは、少なくとも１つのタイマ又はカウンタをリセットする。
【００４９】
１つの実施形態において、本方法はさらに、ＵＥにおいて少なくとも１つの無線リンク故障（ＲＬＦ）関連タイマを停止させることを含む。
【００５０】
もう１つの実施形態によれば、無線リンクモニタリングを実行するためのＵＥは、少なくとも１つのプロセッサと、プロセッサによって実行されるときに、第１のＲＬＭパラメータで無線リンクモニタリング（ＲＬＭ）プロシージャを実行すること、少なくとも１つの第２のＲＬＭパラメータを含むメッセージをネットワークノードから受信すること、第１のＲＬＭパラメータと少なくとも１つの第２のＲＬＭパラメータとの差を識別すること、及び第１のＲＬＭパラメータと少なくとも１つの第２のＲＬＭパラメータとの差を識別したことに応答して第１のＲＬＭパラメータのうちの少なくとも１つをリセットすることをＵＥに行わせるプロセッサ実行可能命令を記憶する少なくとも１つのストレージとを備える。
【００５１】
もう１つの実施形態によれば、無線リンクモニタリングを実行するための通信システムは、ＵＥ及びネットワークノードを備える。ＵＥは、第１のＲＬＭパラメータで無線リンクモニタリング（ＲＬＭ）プロシージャを実行することと、少なくとも１つの第２のＲＬＭパラメータを含むメッセージをネットワークノードから受信することと、第１のＲＬＭパラメータと少なくとも１つの第２のＲＬＭパラメータとの差を識別することと、第１のＲＬＭパラメータと少なくとも１つの第２のＲＬＭパラメータとの差を識別したことに応答して第１のＲＬＭパラメータのうちの少なくとも１つをリセットすることとを行うように設定された少なくとも１つのプロセッサを備える。
【００５２】
本開示のある種の態様及びそれらの実施形態は、これら又は他の課題に対する解決策を提供し得る。本明細書で開示される問題点のうちの１つ又は複数に対処する様々な実施形態が本明細書で提案されている。
【００５３】
ある種の実施形態は、以下の技術的利点のうちの１つ又は複数を提供し得る。本開示で開示される方法は、無線リンクモニタリングを実行している間にＵＥが適切に設定され得るように、ＵＥの現在の設定と将来の設定との差を識別することができる。
【００５４】
本実施形態はさらに、ネットワークがＵＥを設定するときに無線リンクモニタリングにおける最適化されたＵＥビヘイビアを提供し得る。ＵＥは、将来の設定を適応させるために現在の設定をリセット又は停止する必要はないので、本実施形態は、設定プロシージャを円滑にし、ネットワーク効率を向上させる。ＵＥは、現在の設定においてＲＬＭパラメータの一部のみをリセットして将来の設定を適応させることができる。
【００５５】
様々な他の特徴及び利点は、以下の詳細な説明及び図面を考慮すれば、当業者には明らかとなろう。ある種の実施形態は、挙げられた利点のうちのいずれも有さない、いくつかを有する、又はすべてを有することがある。
【００５６】
本明細書に組み込まれ、その一部を形成する添付の図面は、本開示の原理を説明するのに役立つ説明と共に、本開示のいくつかの態様を示す。
【図面の簡単な説明】
【００５７】
【図１】例示的新無線アーキテクチャを示す図である。
【図２】複数の例示的新無線配備を示す。
【図３】例示的ハイブリッドビーム形成を示す。
【図４】２つのサブアレイ及び３つのサブアレイを有する例示的ビーム掃引を示す。
【図５】ＳＳブロック、ＳＳバースト、及びＳＳバーストセットの例示的設定を示す。
【図６】異なる数のＳＳブロックの例示的マッピングを示す。
【図７】ＬＴＥにおける例示的無線リンク故障を示す。
【図８】ある種の実施形態による、ＲＬＭ−ＲＳの設定を変更したときの例示的移行期間を示す。
【図９】ある種の実施形態による、例示的ワイヤレスネットワークを示す図である。
【図１０】ある種の実施形態による、例示的ユーザ機器を示す図である。
【図１１】ある種の実施形態による、例示的仮想化環境を示す図である。
【図１２】ある種の実施形態による、ホストコンピュータに中間ネットワークを介して接続された例示的電気通信ネットワークを示す図である。
【図１３】ある種の実施形態による、部分的にワイヤレスな接続を介してユーザ機器と基地局を介して通信する例示的ホストコンピュータを示す図である。
【図１４】ある種の実施形態による、ホストコンピュータ、基地局及びユーザ機器を含む通信システムにおいて実装された例示的方法を示す図である。
【図１５】ある種の実施形態による、ホストコンピュータ、基地局及びユーザ機器を含む通信システムにおいて実装されたもう１つの例示的方法を示す図である。
【図１６】ある種の実施形態による、ホストコンピュータ、基地局及びユーザ機器を含む通信システムにおいて実装されたさらにもう１つの例示的方法を示す図である。
【図１７】ある種の実施形態による、ホストコンピュータ、基地局及びユーザ機器を含む通信システムにおいて実装されたさらに別の例示的方法を示す図である。
【図１８】ある種の実施形態による、ユーザ機器における例示的方法の流れ図である。
【図１９】ある種の実施形態による、例示的ユーザ機器のブロック図である。
【発明を実施するための形態】
【００５８】
無線リンクモニタリングは設定可能なプロシージャなので、ＵＥビヘイビアは、不明確になり、設定時にＵＥが実行しているべきアクションは指定されていない。ＵＥが高位レイヤへのインジケーションをどのように生成するかなど、設定時にＵＥビヘイビアを知らないことは、ある種の問題を引き起こし得る。したがって、ＵＥが、現在のＲＬＭパラメータを使用しながらその差を適応させることによって将来のＲＬＭパラメータを用いて設定され得るように、本開示の特定の実施形態は、現在のＲＬＭパラメータと将来のＲＬＭパラメータとの差を識別するための方法を提案する。
【００５９】
現在のＲＬＭパラメータと将来のＲＬＭパラメータとの差の識別を有して、ＵＥビヘイビアは、設定時に明確になり得る。将来のＲＬＭパラメータを適応させる前に、ＵＥは、現在のＲＬＭパラメータを実行し続け得る。さらに、ＵＥは、現在のＲＬＭパラメータを単にリセット又は部分的に停止して将来のＲＬＭパラメータを適応させ得る。この解決法は、ＵＥにおいて将来のＲＬＭパラメータを設定したとき着実に無線リンクモニタリングを実行するための効率的やり方を可能にする。
【００６０】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。
【００６１】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【００６２】
一部の実施形態では、非制限的用語「ＵＥ」が使用される。本明細書でのＵＥは、無線信号を介してネットワークノード又は別のＵＥと通信する能力を有する任意のタイプのワイヤレスデバイスでもよい。ＵＥはまた、無線通信デバイス、目標デバイス、デバイス対デバイス（Ｄ２Ｄ：ｄｅｖｉｃｅ  ｔｏ  ｄｅｖｉｃｅ）ＵＥ、マシンタイプＵＥ又はマシン対マシン通信（Ｍ２Ｍ：ｍａｃｈｉｎｅ  ｔｏ  ｍａｃｈｉｎｅ）の能力を有するＵＥ、ＵＥ装備センサ、ｉＰＡＤ、タブレット、モバイル端末、スマートフォン、ラップトップ埋め込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングル、加入者宅内機器（ＣＰＥ：Ｃｕｓｔｏｍｅｒ  Ｐｒｅｍｉｓｅｓ  Ｅｑｕｉｐｍｅｎｔ）などでもよい。
【００６３】
また、一部の実施形態では、一般的専門用語「ネットワークノード」が使用される。それは、基地局、無線基地局、基地局トランシーバ、基地局コントローラ、ネットワークコントローラ、マルチスタンダード無線ＢＳ、ｇＮＢ、ＮＲ  ＢＳ、発展型ノードＢ（ｅＮＢ：ｅｖｏｌｖｅｄ  Ｎｏｄｅ  Ｂ）、ノードＢ、マルチセル／マルチキャストコーディネーションエンティティ（ＭＣＥ：Ｍｕｌｔｉ−ｃｅｌｌ／ｍｕｌｔｉｃａｓｔ  Ｃｏｏｒｄｉｎａｔｉｏｎ  Ｅｎｔｉｔｙ）、リレーノード、アクセスポイント、無線アクセスポイント、リモート無線ユニット（ＲＲＵ：Ｒｅｍｏｔｅ  Ｒａｄｉｏ  Ｕｎｉｔ）リモート無線ヘッド（ＲＲＨ：Ｒｅｍｏｔｅ  Ｒａｄｉｏ  Ｈｅａｄ）、マルチスタンダードＢＳ（別名ＭＳＲ  ＢＳ）、コアネットワークノード（たとえば、ＭＭＥ、ＳＯＮノード、調整ノード、ポジショニングノード、ＭＤＴノードなど）、或いは外部ノード（たとえば、サードパーティノード、現在のネットワークの外部のノード）などの無線ネットワークノードを備え得る、任意の種類のネットワークノードでもよい。ネットワークノードはまた、テスト機器を備え得る。
【００６４】
さらに、いくつかの実施形態において、「基地局（ＢＳ）」という用語は、たとえば、ｇＮＢ、ｅｎ−ｇＮＢ若しくはｎｇ−ｅＮＢ又は中継ノード、或いは実施形態に準拠した任意のＢＳを含み得る。本明細書で使用される「無線ノード」という用語は、ＵＥ又は無線ネットワークノードを示すために使用され得る。本明細書で使用される「シグナリング」という用語は、次のうちのいずれかを備え得る：高位レイヤシグナリング（たとえば、ＲＲＣなどを介する）、低位レイヤシグナリング（たとえば、物理制御チャンネル又はブロードキャストチャンネルを介する）、或いはその組合せ。シグナリングは、黙示的又は明示的でもよい。シグナリングはさらに、ユニキャスト、マルチキャスト又はブロードキャストでもよい。シグナリングはまた、別のノードに直接又は第３のノードを介し得る。
【００６５】
いくつかの実施形態において、本明細書で使用される「ＲＬＭプロシージャ」という用語は、発生する任意のプロセス、又はＲＬＭ中にＵＥによって取られるアクションを指し得る。そのようなプロセス又はアクションの例は、ＯＯＳ評価、ＩＳ評価、ＩＳ／ＯＯＳ（たとえば、カウンタの開始）のフィルタリング、ＲＬＦのトリガ、ＲＬＦタイマの開始又は満了などである。
【００６６】
いくつかの実施形態において、本明細書で使用される「ＲＬＭパフォーマンス」という用語は、無線ノードによって実行されるＲＬＭのパフォーマンスの特徴を示す任意の基準又はメトリックを指し得る。ＲＬＭパフォーマンス基準の例は、ＩＳ／ＯＯＳが検出される評価期間、ＲＬＦタイマの満了時にＵＥ送信器がオフにされることになる期間などである。
【００６７】
本明細書でヌメロロジという用語は、次のうちの任意の１つ又はその組合せを含み得る：サブキャリア間隔、帯域幅内のサブキャリアの数、資源ブロックサイズ、シンボルの長さ、コントロールプレーン（ＣＰ）の長さなど。１つの特定の非制限的例では、ヌメロロジは、７．５ｋＨｚ、１５ｋＨｚ、３０ｋＨｚ、６０ｋＨｚ、１２０ｋＨｚ、又は２４０ｋＨｚのサブキャリア間隔を含む。別の例では、ヌメロロジは、３０ｋＨｚ以上のサブキャリア間隔で使用され得るＣＰの長さである。
【００６８】
ＵＥにおいて実行される例示的方法において、本開示は、第一に、参照信号（ＲＳ）タイプの設定／再設定に関する詳細を扱う。以下の実施形態において、「ＲＬＭプロシージャ」という用語は、ＵＥが測定結果からＩＳ及びＯＯＳインジケーションを生成するプロシージャ（Ｌ１プロシージャ）と、ＵＥがこれらのインジケーションを使用してカウンタの値を増加させてＲＬＦタイマを開始及び停止するプロシージャとの両方を指す。したがって、本開示内で、「ＲＬＭプロシージャ」という用語は、Ｌ１  ＲＬＭプロシージャとＲＲＣレイヤにおいて実行されるＲＬＦプロシージャとの両方を指す。
【００６９】
１つの実施形態によれば、ＵＥが既にＲＬＭを実行するように設定された後にＲＬＭパラメータを再設定したとき、ＵＥは、第１のＲＬＭモード（ＲＬＭ１）に従って又は第２のＲＬＭモード（ＲＬＭ２）に従ってＲＬＭを実行するようにトリガされ得る。ある種の実施形態において、ＲＬＭパラメータは、ＲＬＭ−ＲＳ、ＩＳ／ＯＯＳインジケーションを生成するためのＢＬＥＲペア、或いはＲＬＭ−ＲＳ及びＢＬＥＲペアの両方でもよい。
【００７０】
第１のモード、ＲＬＭ１、によれば、ＵＥは、ＲＬＭプロシージャを再開し得る。たとえば、ＵＥは、すべてのＲＬＭ関連パラメータをリセットすること、たとえば、ＩＳ／ＯＯＳカウンタをゼロにセットすることによってこれらのカウンタをリセットすること、ＲＬＦ関連タイマを停止又はリセットすること、推定されたＤＬ品質測定結果を取り除くこと又は前に設定された資源に基づいて実行されるＩＳ／ＯＯＳ評価及び測定の推定された履歴サンプルを取り除くことなど、によって、進行中のＲＬＭプロシージャを中止することができる。ある種の実施形態において、ＩＳ／ＯＯＳカウンタは、Ｎ３１０、Ｎ３１１、Ｎ３１３又はＮ３１４でもよい。ある種の実施形態において、ＲＬＦ関連タイマは、Ｔ３１０、Ｔ３１１、又はＴ３１３でもよい。
【００７１】
第２のモード、ＲＬＭ２、によれば、ＵＥは、進行中のＲＬＭプロシージャを継続し得る。ＵＥはさらに、既存のパラメータ値がどのように継続され得るかに関する情報を用いて設定され得る。たとえば、ＵＥは、すべてのＲＬＭ関連パラメータ、たとえば、カウンタ、タイマ、推定されたＤＬ品質、又はＩＳ／ＯＯＳ評価のための推定された履歴サンプルなど、をリセットすることなく、進行中のＲＬＭプロシージャを継続し得る。ある種の実施形態において、カウンタは、Ｎ３１０、Ｎ３１１、Ｎ３１３又はＮ３１４でもよい。ある種の実施形態において、タイマは、Ｔ３１０、Ｔ３１１、又はＴ３１３でもよい。ＵＥは、ＲＬＭ関連パラメータのサブセットのみをリセット又は初期化するように設定され得る。たとえば、ＲＬＦタイマＴ３１０のみをリセットしてＲＬＭカウンタはリセットしない、又はその逆もまた同様。標準セクション５．２．１−５．２．３における場合など、異なる場合について、詳細が提供される。
【００７２】
ＵＥは、事前に規定されたルールに基づいて及び／又はネットワークノードから受信された情報に基づいてＲＬＭ１又はＲＬＭ２に従ってＲＬＭを実行するようにトリガされ得る。受信される情報は、設定メッセージ又はインジケーションを含み得る。ある種の実施形態において、インジケーションは、モードに対応する事前に規定された識別子のうちの１つでもよい。設定メッセージの例は、ＲＲＣシグナリング、ＭＡＣコマンド、又はレイヤ１メッセージでもよい。ある種の実施形態において、設定メッセージが、ダウンリンク制御情報（ＤＣＩ：ｄｏｗｎｌｉｎｋ  ｃｏｎｔｒｏｌ  ｉｎｆｏｒｍａｔｉｏｎ）を介してダウンリンク（ＤＬ：ｄｏｗｎｌｉｎｋ）制御チャンネルで送られ得る。ＤＬ制御チャンネルは、ＰＤＣＣＨでもよい。
【００７３】
ＵＥは、ＲＬＭ−ＲＳにおける変化のタイプに応じて、ＲＬＭプロシージャを適応させ得る。１つの実施形態において、ＲＬＭ−ＲＳにおける変化を受けてＵＥはＲＬＭ１をトリガし得るかＲＬＭ２をトリガし得るかのルールは、ＲＬＭ−ＲＳの再設定のタイプに依存する。ＲＬＭ−ＲＳの再設定のタイプの例は、１つ又は複数の新しいＲＬＭ−ＲＳの追加と、新しいＲＬＭ−ＲＳによる１つ又は複数の既存のＲＬＭ−ＲＳの置換と、１つ又は複数の既存のＲＬＭ−ＲＳの除去と、新しいＲＬＭ−ＲＳによるすべての既存のＲＬＭ−ＲＳの完全な置換である。
【００７４】
ＲＬＭ−ＲＳの再設定時にＲＬＭ１を適用するかＲＬＭ２を適用するかのＵＥビヘイビア適応について、以下の例を用いて、ここで説明する。
【００７５】
１つ又は複数のＲＬＭ  ＲＳ資源がＲＬＭ−ＲＳ資源のセットに追加される第１のシナリオでは、ＲＬＭ  ＲＳ資源のセットのサイズは大きくなる。ＵＥは、現在、ＲＬＭ−ＲＳ（ＲＬＭ−ＲＳ１）で設定され、そして、ＵＥはさらに、ＲＬＭを行うためのＲＬＭ−ＲＳ（たとえば、ＲＬＭ−ＲＳ２）の新しいセットで設定される。ＲＬＭ−ＲＳ１及びＲＬＭ−ＲＳ２を含むＲＬＭ−ＲＳの結合されたセット（ＲＬＭ−ＲＳ３）が、次いで、ＲＬＭを行うためにＵＥによって使用される。
【００７６】
この場合、ＵＥは、ＲＬＭの実行の継続など、ＲＬＭを実行するために第２のＲＬＭモード、ＲＬＭ２、を適用し得、その一方で、ＵＥは、後述のように既存のＲＬＭパラメータの値のうちのいくつかを修正し得る。
【００７７】
ＵＥは、以下のルールのうちの１つ又は任意の組合せを使用し得る：
（１）ＯＯＳインジケーションは、新しいセットからのＸ＋Ｎの異なるＲＳに対応するＸ＋Ｎの評価結果に基づいていること、そこで、Ｎは、新しいＲＬＭ  ＲＳ資源の数である、と、
（２）ＩＳインジケーションは、新しいセットからのＹの異なるＲＳに対応するＹ（Ｙ＜Ｘ＋Ｎ）評価結果に基づいていることと、
（３）ＯＯＳによりトリガされるタイマ（Ｔ３１０）は、ＲＲＣ再設定がいつ受信されるかに応じて延長される必要があることと、
（４）ＵＥが、新しいＲＬＭ  ＲＳ資源の評価に優先順位を付けることと、
（５）ＵＥビヘイビア適応が、新しいＲＬＭ  ＲＳ資源のタイプに依存すること。
【００７８】
１つの実施形態において、Ｙは、Ｎ  ＲＬＭ  ＲＳ資源が追加されるときに最大のＮにより増やされ得る。別の実施形態では、数Ｙは、変化しないままである（たとえば、Ｙ＝１）が、ＩＳインジケーションは、どれでも最初に出現した増やされたセットからの任意のＲＬＭ  ＲＳに基づく。
【００７９】
ある種の実施形態において、ＯＯＳによりトリガされるタイマは、１つ又は複数の新しく追加されたＲＬＭ  ＲＳ及び／又は１つ又は複数に基づく評価を可能にするために、少なくともＭ１＜Ｎ（たとえば、Ｍ１＝１）同期外れ評価期間の時間を収容するように延長される必要があり得る。このルールは、新しいＲＬＭ  ＲＳ資源が優れたリンク品質を有する場合に、ＲＬＦを回避し得る。ある種の実施形態において、ＯＯＳによりトリガされるタイマは、少なくともＭ２（たとえば、Ｍ２＝Ｎ３１１）同期中評価期間の時間を収容するように延長される必要があり得る。
【００８０】
ある種の実施形態において、ＵＥが新しいＲＬＭ  ＲＳ資源の評価に優先順位を付けることは、古いセットからの１つの、いくつかの又はすべてのＲＬＭ  ＲＳ資源を評価する前に新しいＲＬＭ  ＲＳ資源を評価することを意味する。
【００８１】
ある種の実施形態において、新しいＲＬＭ  ＲＳ資源のタイプがＳＳ／ＰＢＣＨブロックである場合、ＵＥは、第１のビヘイビア（たとえば、タイマ又はカウンタをリセットしない）を適用し得る。ある種の実施形態において、新しいＲＬＭ  ＲＳ資源のタイプがＣＳＩ−ＲＳである場合、ＵＥは、第２のビヘイビア（たとえば、少なくとも１つのタイマ又はカウンタをリセットする）を適用し得る。
【００８２】
１つ又は複数のＲＬＭ  ＲＳ資源を置き換える第２のシナリオにおいて、セットサイズは変わらない。ＵＥは、現在、ＲＬＭ−ＲＳ（ＲＬＭ−ＲＳ１）で設定され、ＲＬＭ−ＲＳ１の部分は、ＲＬＭを行うためのＲＬＭ−ＲＳの新しいセット（たとえば、ＲＬＭ−ＲＳ２）に置き換えられる。修正されたＲＬＭ−ＲＳ１は、本明細書で、ＲＬＭ−ＲＳ１’と称される。ＲＬＭ−ＲＳ１’及びＲＬＭ−ＲＳ２を含むＲＬＭ−ＲＳの結合されたセット（ＲＬＭ−ＲＳ４）が、次いで、ＲＬＭを行うためにＵＥによって使用される。
【００８３】
この場合、ＵＥは、ＲＬＭを行う、たとえばＲＬＭの実行を継続する、ための第２のＲＬＭモード、ＲＬＭ２、を適用し得、その一方で、ＵＥは、後述のように既存のＲＬＭパラメータの値のうちのいくつかを修正し得る。第２の実施形態のもう１つの態様によれば、ＲＬＭ−ＲＳ２の数が、ある特定の閾値より多い（たとえば、４以上）場合、そのとき、ＵＥは、第１のＲＬＭモード、ＲＬＭ１、を適用するように設定され得る。言い換えれば、ＵＥは、ＲＬＭパラメータを再開し得る。
【００８４】
置き換えられたＲＬＭ  ＲＳ資源と比較して新しいＲＬＭ  ＲＳ資源は、少なくとも１つの異なる特徴を有し得る。たとえば、ＲＬＭ  ＲＳタイプ、周波数、ＲＬＭ  ＲＳ帯域幅、時間及び／又は周波数におけるＲＬＭ  ＲＳ密度、及びＲＬＭ  ＲＳ周期性など。
【００８５】
ＵＥは、以下のルールのうちの１つ又は任意の組合せを使用し得る：
（１）ＯＯＳインジケーションが、更新されたセットからのＲＬＭ  ＲＳ資源に基づく評価結果に基づくことと、
（２）ＯＯＳによりトリガされるタイマ（Ｔ３１０）が、１つ又は複数の新しく追加されたＲＬＭ  ＲＳに基づく評価を可能にするために少なくともＭ＜Ｎ（たとえば、Ｍ＝１）同期外れ評価期間の時間を収容するために、ＲＲＣ再設定がいつ受信されるかに応じて、延長される必要があることと、
（３）ＩＳインジケーションが、更新されたセットからのＲＬＭ  ＲＳ資源に基づくＹ評価結果に基づくことと、
（４）ＵＥが、新しいＲＬＭ  ＲＳ資源に基づく評価に優先順位を付けることと、
（５）ＵＥビヘイビア適応が、古い及び／又は新しいＲＬＭ  ＲＳ資源のタイプに依存すること。
【００８６】
ある種の実施形態において、更新されたセットからのＲＬＭ  ＲＳ資源を基礎とすることは、置き換えられたＲＬＭ  ＲＳ資源を除外することと、置き換わる（新しい）ＲＬＭ  ＲＳ資源を含むこととを意味し得る。
【００８７】
ある種の実施形態において、ＯＯＳによりトリガされるタイマ（Ｔ３１０）が、ＲＲＣ再設定がいつ受信されるかに応じて、延長される必要があることは、新しいＲＬＭ  ＲＳ資源が優れたリンク品質を有する場合にＲＬＦを回避することを可能にし得る。
【００８８】
ある種の実施形態において、ＵＥが新しいＲＬＭ  ＲＳ資源に基づいて評価に優先順位を付けることとは、削除されたＲＬＭ  ＲＳ資源を除いて古いセットからの１つの、いくつかの又はすべてのＲＳを評価する前に新しいＲＬＭ  ＲＳ資源のチャンネル品質を評価することを意味する。
【００８９】
ある種の実施形態において、ＵＥは、タイプが変わった場合に、第１のビヘイビアを適用し得る。ある種の実施形態において、ＵＥは、タイプが変わらなかった場合に、第２のビヘイビアを適用し得る。
【００９０】
Ｌの数における１つ又は複数のＲＬＭ  ＲＳ資源が取り除かれる第３のシナリオにおいて、ＲＬＭ  ＲＳ資源セットのサイズは、小さくされる。ＵＥは、現在、ＲＬＭ−ＲＳ（ＲＬＭ−ＲＳ１）で設定され、ＲＬＭ−ＲＳ１の一部又はサブセットは、ＲＬＭを行うために取り除かれる。ＲＬＭ−ＲＳ１のサブセットを取り除いた後のＲＬＭ−ＲＳ１の残りの部分は、本明細書でＲＬＭ−ＲＳ５と称される。ＲＬＭ−ＲＳの縮小されたセット（ＲＬＭ−ＲＳ５）は、次いで、ＲＬＭを行うためにＵＥによって使用される。
【００９１】
この場合、ＵＥは、ＲＬＭを実行する、たとえば、ＲＬＭの実行を継続する、ための第２のＲＬＭモード、ＲＬＭ２、を適用し得、その一方で、ＵＥは、後述のように既存のＲＬＭパラメータの値のうちのいくつかを修正し得る。この実施形態のもう１つの態様によれば、取り除かれるＲＬＭ−ＲＳ１の部分の数が、ある特定の閾値より多い（たとえば、４つ以上）場合、次いで、ＵＥは、第１のＲＬＭモード、ＲＬＭ１、を適用するように設定され得る。言い換えれば、ＵＥは、ＲＬＭパラメータを再開し得る。
【００９２】
ＵＥは、以下のルールのうちの１つ又は任意の組合せを使用し得る：
（１）ＯＯＳインジケーションが、ＲＬＭ  ＲＳ資源の新しい（縮小された）セットに対応する評価結果に基づくことと、
（２）ＩＳインジケーションが、新しい（縮小された）セットに基づく評価結果に基づくこと。
【００９３】
ある種の実施形態において、取り除かれるＲＳの、完了している又はしていない、評価結果は、ＵＥが新しいＲＬＭ  ＲＳ設定を受信及び適用した後、ＯＯＳ及びＩＳ内にカウントされなくてもよい。
【００９４】
既存のＲＬＭ  ＲＳ資源が完全に置き換えられる第４のシナリオでは、既存のＲＬＭ  ＲＳ資源（ＲＬＭ−ＲＳ１）は、次いでＲＬＭを行うためにＵＥによって使用される、ＲＬＭ−ＲＳの別の新しいセット（ＲＬＭ−ＲＳ６）に完全に置き換えられる。この場合、ＵＥは、ＲＬＭを行うための第１のＲＬＭモード、ＲＬＭ１、を適用するために、事前に規定されたルールに基づいて又はインジケーションに基づいて設定され得る。これは、ＲＬＭ−ＲＳ１に基づいてＲＬＭを行うために使用された既存のパラメータの値をＵＥがリセットし得ることを意味する。
【００９５】
ルールのさらに別の態様によれば、ＵＥは、ＲＬＭ−ＲＳ１に基づいてＲＬＭに関連する１つ又は複数の進行中のプロセスを完了した後にＲＬＭ−ＲＳ６に基づいてＲＬＭの実行を開始し得る。プロセスの例は、同期中評価期間、同期外れ評価期間などである。
【００９６】
ＵＥにおいて実行される別の例示的方法において、本開示は、第二に、ＢＬＥＲペアの設定／再設定に関する詳細を扱う。以下の実施形態において、ＵＥは、ＢＬＥＲペアにおける変更のタイプに応じて、ＲＬＭプロシージャを適応させ得る。１つの実施形態において、ＢＬＥＲペアにおける変更を受けてＵＥがＲＬＭ１をトリガし得るか又はＲＬＭ２をトリガし得るか否かのルールは、ＢＬＥＲペアの再設定のタイプに依存し得る。
【００９７】
ＢＬＥＲペアの各ＢＬＥＲ値は、ＳＩＮＲ又は他の品質測定にマップし、ＩＳインジケーション及びＯＯＳインジケーションをそれぞれ生成するために使用される。本方法は、ＢＬＥＲペアインデックスＭがＢＬＥＲ  ＩＳ（Ｍ）及びＢＬＥＲ  ＯＯＳ（Ｍ）を含むまで、ＢＬＥＲ  ＩＳ（１）及びＢＬＥＲ  ＯＯＳ（１）を含むＢＬＥＲペアインデックス１、ＢＬＥＲ  ＩＳ（２）及びＢＬＥＲ  ＯＯＳ（２）を含むＢＬＥＲペアインデックス２などに基づいてネットワークによって設定及び再設定され得るＢＬＥＲペアのセットが存在すると想定する。
【００９８】
ＢＬＥＲペアの再設定のタイプの例は、ＢＬＥＲ  ＩＳにおける任意の変化及びＢＬＥＲ  ＯＯＳの変化と、ＢＬＥＲ  ＩＳ増加及びＢＬＥＲ  ＯＯＳ増加と、ＢＬＥＲ  ＩＳ減少及びＢＬＥＲ  ＯＯＳ減少と、ＢＬＥＲ  ＩＳ増加及びＢＬＥＲ  ＯＯＳ減少と、ＢＬＥＲ  ＩＳ減少及びＢＬＥＲ  ＯＯＳ増加とである。
【００９９】
ＢＬＥＲ  ＯＯＳの増加の第５のシナリオにおいて、ＢＬＥＲ  ＯＯＳの増加は、ＵＥがその設定を受信した瞬間から、ＵＥは、ＯＯＳを生成する前により低いＳＩＮＲ値を許容することになることを示し、そして、ネットワークの目的は、状況が非常に悪くなるまでＵＥはＯＯＳカウンタを増やさない、より保守的なＲＬＦプロシージャを有することであることが理解される。したがって、ＢＬＥＲ  ＯＯＳを増やす設定を受信したとき、ＵＥは、ＯＯＳカウンタ、たとえばＮ３１０、をリセットし、実行中であれば、ＲＬＦ関連タイマ、たとえばＴ３１０又はＴ３１３、を停止する。ある種の実施形態において、ＢＬＥＲ  ＯＯＳを増やすことは、Ｑｏｕｔ閾値を、たとえば、１０％から２０％に、増やすことを意味する。
【０１００】
ＢＬＥＲ  ＯＯＳの減少の第６のシナリオでは、ＢＬＥＲ  ＯＯＳの減少は、ＵＥがその設定を受信した瞬間から、ＵＥは、同じＳＩＮＲ値についてより多くのＯＯＳの生成を開始し得ることを示し、そして、ネットワークの目的は、ＵＥがより速くＯＯＳカウンタを増やし得る保守性の低いＲＬＦプロシージャを有することであることが理解される。したがって、ＢＬＥＲ  ＯＯＳを減らす設定を受信したとき、ＲＬＦが速くトリガされすぎないように、ＵＥは、ＯＯＳカウンタ、たとえばＮ３１０、をリセットし、実行中であればＲＬＦ関連タイマ、たとえばＴ３１０又はＴ３１３、を停止し得る。ある種の実施形態において、ＢＬＥＲ  ＯＯＳを減らすことは、Ｑｏｕｔ閾値を、たとえば、２０％から１０％に、減らすことを意味する。
【０１０１】
ＢＬＥＲ  ＩＳの増加の第７のシナリオでは、ＢＬＥＲ  ＩＳ、すなわちＱｉｎ閾値、の増加は、ＵＥが、ＲＬＦタイマ（たとえば、Ｔ３１１）を停止するカウンタ（たとえば、Ｎ３１１）をより迅速に増やし得るように、ＵＥがその設定を受信した瞬間から、ＵＥは前の設定でよりも速くＩＳインジケーションを生成することになることを示し、そして、ネットワークの目的は、たとえば、ＲＬＦタイマが実行しているときに、ＲＬＦ状況から迅速に抜け出すことであることが理解される。言い換えれば、たとえば、増加が２％から５％へである場合、それは、重要でないＢＬＥＲ改善を許容し得る。言い換えれば、チャンネルが統計的に、より保守的な２％以上の代わりに５％以上のＢＬＥＲを有し始めるとき、ＵＥは、ＩＳインジケーションの生成を開始する。したがって、ＢＬＥＲ  ＩＳを増やす設定を受信したとき、ＵＥは、ＩＳカウンタ、たとえばＮ３１１又は２次セルグループ（ＳＣＧ）のための同等のもの、をリセットし、実行中であればＲＬＦ関連タイマ、たとえば、Ｔ３１０、Ｔ３１１又はＴ３１３、を停止する。
【０１０２】
ＢＬＥＲ  ＩＳの減少の第８のシナリオでは、ＢＬＥＲ  ＩＳ、すなわち、Ｑｉｎ閾値、の減少は、ＵＥがその設定を受信した瞬間から、ＵＥは、前の設定でよりも保守的に、よりゆっくりとＩＳインジケーションを生成することになり、それにより、ＵＥは、ＲＬＦタイマ（たとえば、Ｔ３１１）を停止するカウンタ（たとえば、Ｎ３１１）をよりゆっくりと増やし得ることを示し、そして、ネットワークの目的は、たとえば、ＲＬＦタイマが実行しているとき、サービスがＵＥに適切に提供され得ないにもかかわらず、ＲＬＦ状況をあまりに速く抜け出すことを回避することであることが理解される。したがって、ＢＬＥＲ  ＩＳを減らす設定を受信したとき、ＵＥは、ＩＳカウンタ、たとえばＮ３１１又はＳＣＧの同等のもの、をリセットし、実行中であれば、ＲＬＦ関連タイマ（たとえば、Ｔ３１０、Ｔ３１１又はＴ３１３）を停止する。
【０１０３】
本開示はさらに、例示的方法が適用され得る他のシナリオを含む。第１のシナリオ、第２のシナリオ、及び／又は第３のシナリオの組合せもまた生じ得、第２のシナリオである１つのＲＬＭ  ＲＳ資源について１つのパラメータが変更されていること、及びまた、第１のシナリオである１つの新しいＲＬＭ  ＲＳ資源が追加されたこと、そうして、対応するルールの組合せもまたここで適用され得る。
【０１０４】
本開示はさらに、ＲＬＭ−ＲＳ資源のセットが変化したときの移行期間中のＵＥビヘイビア及びＲＬＭパフォーマンス要件を示す。本明細書では、ＵＥビヘイビア、及び変化中、変化の直前若しくは直後のＵＥの予期されるパフォーマンスを説明する。
【０１０５】
ＵＥは、変化直前、変化中、変化直後、及び、移行期間を含み得るそのうちの任意の１つ又は複数でも１つ又は複数のＲＬＭパフォーマンスメトリックに従うことが必要とされ得る。さらなる一実施形態で、この要件は、任意のタイマ又はカウンタがリセットされるか否かを無視して、適用され得る。別の実施形態において、この要件は、Ｎ３１０のようなカウンタがリセットされないという条件でのみ、適用され得る。ある種の実施形態において、１つ又は複数のＲＬＭパフォーマンスメトリックは、評価期間、ＯＯＳ又はＩＳインジケーション間隔、及びリンク品質測定の精度、たとえば、次いでＢＬＥＲにマップされるＳＩＮＲ、でもよい。
【０１０６】
図８は、ある種の実施形態による、ＲＬＭ−ＲＳ資源又はＲＬＭ−ＲＳ資源のセットの設定を変更したときの例示的移行期間を示す。評価期間は、移動平均の計算と類似したスライディングウインドウ方法に基づいて判定され、そして、各評価期間の最後に、ＵＥ物理レイヤは、最終的にＲＬＦにつながり得る、高位レイヤへのＯＯＳを示し得る。移行期間中、ＵＥは、古いＲＬＭ  ＲＳ設定に関連するパフォーマンスメトリックと新しいＲＬＭ  ＲＳ設定に関連するパフォーマンスメトリックとの間の最も緩やかなＲＬＭパフォーマンスメトリック（たとえば、最も長い評価期間）に従い得る。移行期間は、変化が適用されるときに、又は新しい設定が受信されるとき開始し、設定された古い及び新しいＲＬＭ−ＲＳ資源の間で１つの最も緩やかな評価期間、又は最も長いＲＬＭ−ＲＳ周期性の間続き得る。ルールは、ＲＬＭ−ＲＳ資源ごとの評価期間について並びにすべての設定されたＲＬＭ−ＲＳ資源に共通の評価期間について適用され得る。１つの実施形態において、時間間隔ｔ１の間のＲＬＭ−ＲＳ周期性はＴ１であり、評価期間は関数ｆ（Ｔ１）であり、そして、ＵＥは、このＲＬＭ−ＲＳについて又は別のＲＬＭ−ＲＳ資源についてもより短い周期性Ｔ２＜Ｔ１を受信し、それは、すべての設定されたＲＬＭ−ＲＳ資源の中で最も長い周期性をより短くし得、新しい評価期間は、ｆ（Ｔ１）より小さいｆ（Ｔ２）の関数になり、そのようにして、ｇ（ｍａｘ（Ｔ１，Ｔ２））＝ｇ（Ｔ１）、たとえば、ｇ（Ｔ１）＝ｆ（Ｔ１）、と等しい遷移時間中に、変更が設定された瞬間から、ＵＥは、ＵＥがＲＬＭ−ＲＳのリンク品質を査定する、評価期間ｆ（Ｔ１）に基づく１つ又は複数の時間を高位レイヤＯＯＳに指示し得る。移行期間後、評価期間はｆ（Ｔ２）である。
【０１０７】
本開示はさらに、ネットワークノードにおいて実装される例示的方法を開示する。ネットワークノードは、本明細書に記載の実施形態のネットワーク側を実装する。ネットワークビヘイビアは、ＵＥ実施形態、ＲＬＭパラメータ、タイマ、カウンタ、及びネットワーク側におけるＲＬＦのトリガなどのそのような設定、に準拠する。
【０１０８】
前述のそれぞれの例について、ＲＬＭ−ＲＳ資源のセット、たとえば、Ｌ  ＲＬＭ−ＲＳ資源、は、すべてＳＳＢ又はすべてＣＳＩ−ＲＳ或いはＳＳＢ及びＣＳＩ−ＲＳ資源の組合せでもよい。組合せの場合、ルールは、グループのＬ  ＲＬＭ−ＲＳ資源全体に適用され得、或いはＳＳＢ及びＣＳＩ−ＲＳ資源が、別個のサブグループとして扱われ、ＲＬＭは、サブグループごとにモニタされる。すなわち、ＩＳＳ／ＯＯＳインジケーションがサブグループごとに生成され得る、或いは、モニタリングがサブグループごとに行われても、ＩＳＳ／ＯＯＳはグループ全体にわたり生成され得る。前述の両方の場合について、サブグループについて前述されたいずれの変化も、サブグループにわたるモニタリング継続にのみ影響を及ぼし、そこで、１つ又は複数の資源は変更され、そして、すべての場合が前述される。たとえば、ＵＥは、Ｐ＝３はＳＳＢ及びＴ＝４はＣＳＩ−ＲＳベースであるＬ＝７資源で設定される。ＣＳＩ−ＲＳ資源のうちの１つが変更されたとき、グループのＣＳＩ−ＲＳベースのＲＬＭ−ＲＳからのモニタリングのみが、ネットワークからの情報による又は事前規定されたルールによる影響を受ける。ＣＳＩ−ＲＳベースのグループはさらに、同じ又は異なる設定された帯域幅部分（ＢＷＰ：ｂａｎｄｗｉｄｔｈ  ｐａｒｔ）を共用する資源に分けられ得、これらのサブグループは、ＳＳＢ及びＣＳＩ−ＲＳサブグループについて説明されたように扱われる。ＣＳＩ−ＲＳ資源が変更されるとき、モニタリングビヘイビアは、同じＢＷＰについて設定されたＣＳＩ−ＲＳ資源のグループ内でのみ変化するというルールが存在し得る。さらに、Ｌ  ＳＳＢ又はＣＳＩ−ＲＳベースのＲＬＭ−ＲＳのグループ全体は、１つのＢＷＰ内のすべての資源が１つのグループに属するように、ＢＷＰに基づいてサブグループに分けられ得る。
【０１０９】
ネットワークノードにおいて実行される方法の第１の実施形態において、ネットワークがＲＬＭ設定でＵＥを設定するとき、ＵＥは、測定を削除し、タイマを停止し、カウンタをリセットする。第１の実施形態は、本開示における実施形態のうちのいくつかについて３８．３３１への更新を提供する。
【０１１０】
第１の実施形態において、無線ソース設定に関して、ＵＥは、以下を行うことになる：
１＞受信されたｒａｄｉｏＲｅｓｏｕｒｃｅＣｏｎｆｉｇＤｅｄｉｃａｔｅｄが、ｒｌｍ−Ｃｏｎｆｉｇを含む場合：
２＞５．３．１０．ｘにおいて規定されているように無線リンクモニタリングパラメータを再設定する。
【０１１１】
第１の実施形態において、無線リンクモニタリングパラメータ再設定に関して、ＵＥは、以下を行うことになる：
１＞受信されたｒｌｍ−Ｃｏｎｆｉｇが、ｓｓｂＲｅｓｏｕｒｃｅＴｏＡｄｄＭｏｄＬｉｓｔを含む場合、
２＞ｓｓｂＲｅｓｏｕｒｃｅＴｏＡｄｄＭｏｄＬｉｓｔに含まれる各ｓｓｂＩｎｄｅｘ値について、
３＞整合するｓｓｂＩｎｄｅｘを有するエントリが、ｓｓｂＲｅｓｏｕｒｃｅＴｏＡｄｄＭｏｄＬｉｓｔ内に存在する場合、
４＞受信されたｓｓｂＩｎｄｅｘの新しいエントリをｓｓｂＲｅｓｏｕｒｃｅｓＴｏＡｄｄＭｏｄＬｉｓｔに追加する、
１＞受信されたｒｌｍ−Ｃｏｎｆｉｇが、ｃｓｉ−ＲＳ−ＲｅｓｏｕｒｃｅＴｏＡｄｄＭｏｄＬｉｓｔを含む場合、
２＞ｃｓｉ−ＲＳ−ＲｅｓｏｕｒｃｅｓＴｏＡｄｄＭｏｄＬｉｓｔに含まれた各ｃｓｉ−ｒｓ−Ｉｎｄｅｘ値について、
３＞整合するｃｓｉ−ｒｓ−Ｉｎｄｅｘを有するエントリが、ｃｓｉ−ＲＳ−ＲｅｓｏｕｒｃｅｓＴｏＡｄｄＭｏｄＬｉｓｔ内に存在する場合、
４＞受信されたｃｓｉ−ｒｓ−Ｉｎｄｅｘの新しいエントリをｃｓｉ−ＲＳ−ＲｅｓｏｕｒｃｅｓＴｏＡｄｄＭｏｄＬｉｓｔに追加する、
１＞受信されたｒｌｍ−Ｃｏｎｆｉｇが、ｓｓｂＲｅｓｏｕｒｃｅｓＴｏＲｅｍｏｖｅＬｉｓｔを含む場合、
２＞ｓｓｂＲｅｓｏｕｒｃｅｓＴｏＡｄｄＭｏｄＬｉｓｔに含まれる各ｓｓｂＩｎｄｅｘ値について、
３＞整合するｓｓｂＩｎｄｅｘを有するエントリをｓｓｂＲｅｓｏｕｒｃｅｓＴｏＡｄｄＭｏｄＬｉｓｔから取り除く、
１＞受信されたｒｌｍ−Ｃｏｎｆｉｇが、ｃｓｉ−ＲＳ−ＲｅｓｏｕｒｃｅｓＴｏＲｅｍｏｖｅＬｉｓｔを含む場合、
２＞ｃｓｉ−ＲＳ−ＲｅｓｏｕｒｃｅｓＴｏＲｅｍｏｖｅＬｉｓｔに含まれた各ｃｓｉ−ｒｓ−Ｉｎｄｅｘ値について、
３＞整合するｃｓｉ−ｒｓ−Ｉｎｄｅｘを有するエントリをｃｓｉ−ＲＳ−ＲｅｓｏｕｒｃｅｓＴｏＲｅｍｏｖｅＬｉｓｔから取り除く、
１＞受信されたｒｌｍ−Ｃｏｎｆｉｇが、ＲＬＭ−ＩＳ−ＯＯＳ−ｔｈｒｅｈｓｏｌｄＣｏｎｆｉｇを含む場合、
２＞ＲＬＭ−ＩＳ−ＯＯＳ−ｔｈｒｅｈｓｏｌｄＣｏｎｆｉｇにおいて、受信されたインデックスに従って、ＢＬＥＲペア閾値を再設定する、そこでＢＬＥＲペアへのインデックスマッピングはＴＳ３８．２１１に規定されている、
１＞タイマＴ３１０、Ｔ３１２、Ｔ３１３及びＲＬＭパラメータの影響を受け得る任意の他のＲＬＦ関連タイマ若しくは故障関連タイマを停止する、
１＞ＲＬＦカウンタＮ３１０、Ｎ３１１、Ｎ３１３、Ｎ３１４又はＲＬＭ設定の影響を受け得る下位レイヤからのＩＳ及びＯＯＳインジケーションの任意の他のカウンタをクリアする、
１＞もしあれば、ＶａｒＲＬＦ報告に含まれている情報をクリアする。
【０１１２】
ネットワークノードにおいて実行される方法の第２の実施形態において、ＵＥは、いくつかの特定のＲＬＭ再設定が実行されるときにＲＬＦ関連カウンタを単にリセットし、測定結果を削除する。たとえば、ＵＥは、ＢＬＥＲペアが提供されるときにのみ、ＲＬＦ関連カウンタをリセットし、そこで、ＢＬＥＲペアは、ＵＥが再設定されているというインジケーションである。第２の実施形態は、本開示内の実施形態のうちのいくつかについて３８．３３１への更新を提供する。
【０１１３】
第２の実施形態において、無線ソース設定に関して、ＵＥは、以下を行うことになる：
１＞受信されたｒａｄｉｏＲｅｓｏｕｒｃｅＣｏｎｆｉｇＤｅｄｉｃａｔｅｄが、ｒｌｍ−Ｃｏｎｆｉｇを含む場合：
２＞５．３．１０．ｘに規定されているように無線リンクモニタリングパラメータを再設定する。
【０１１４】
第２の実施形態において、無線リンクモニタリングパラメータ再設定に関して、ＵＥは、以下を行うことになる：
１＞受信されたｒｌｍ−Ｃｏｎｆｉｇが、ｓｓｂＲｅｓｏｕｒｃｅｓＴｏＡｄｄＭｏｄＬｉｓｔを含む場合、
２＞ｓｓｂＲｅｓｏｕｒｃｅｓＴｏＡｄｄＭｏｄＬｉｓｔに含まれる各ｓｓｂＩｎｄｅｘ値について、
３＞整合するｓｓｂＩｎｄｅｘを有するエントリが、ｓｓｂＲｅｓｏｕｒｃｅｓＴｏＡｄｄＭｏｄＬｉｓｔ内に存在する場合、
４＞受信されたｓｓｂＩｎｄｅｘの新しいエントリをｓｓｂＲｅｓｏｕｒｃｅｓＴｏＡｄｄＭｏｄＬｉｓｔに追加する、
１＞受信されたｒｌｍ−Ｃｏｎｆｉｇが、ｃｓｉ−ＲＳ−ＲｅｓｏｕｒｃｅｓＴｏＡｄｄＭｏｄＬｉｓｔを含む場合、
２＞ｃｓｉ−ＲＳ−ＲｅｓｏｕｒｃｅｓＴｏＡｄｄＭｏｄＬｉｓｔに含まれた各ｃｓｉ−ｒｓ−Ｉｎｄｅｘ値について、
３＞整合するｃｓｉ−ｒｓ−Ｉｎｄｅｘを有するエントリが、ｃｓｉ−ＲＳ−ＲｅｓｏｕｒｃｅｓＴｏＡｄｄＭｏｄＬｉｓｔ内に存在する場合、
４＞受信されたｃｓｉ−ｒｓ−Ｉｎｄｅｘの新しいエントリをｃｓｉ−ＲＳ−ＲｅｓｏｕｒｃｅｓＴｏＡｄｄＭｏｄＬｉｓｔに追加する、
１＞受信されたｒｌｍ−Ｃｏｎｆｉｇが、ｓｓｂＲｅｓｏｕｒｃｅｓＴｏＲｅｍｏｖｅＬｉｓｔを含む場合、
２＞ｓｓｂＲｅｓｏｕｒｃｅｓＴｏＡｄｄＭｏｄＬｉｓｔに含まれる各ｓｓｂＩｎｄｅｘ値について、
３＞整合するｓｓｂＩｎｄｅｘを有するエントリをｓｓｂＲｅｓｏｕｒｃｅｓＴｏＡｄｄＭｏｄＬｉｓｔから取り除く、
１＞受信されたｒｌｍ−Ｃｏｎｆｉｇが、ｃｓｉ−ＲＳ−ＲｅｓｏｕｒｃｅｓＴｏＲｅｍｏｖｅＬｉｓｔを含む場合、
２＞ｃｓｉ−ＲＳ−ＲｅｓｏｕｒｃｅｓＴｏＲｅｍｏｖｅＬｉｓｔに含まれた各ｃｓｉ−ｒｓ−Ｉｎｄｅｘ値について、
３＞整合するｃｓｉ−ｒｓ−Ｉｎｄｅｘを有するエントリをｃｓｉ−ＲＳ−ＲｅｓｏｕｒｃｅｓＴｏＲｅｍｏｖｅＬｉｓｔから取り除く、
１＞受信されたｒｌｍ−Ｃｏｎｆｉｇが、ＲＬＭ−ＩＳ−ＯＯＳ−ｔｈｒｅｈｓｏｌｄＣｏｎｆｉｇを含む場合、
２＞ＲＬＭ−ＩＳ−ＯＯＳ−ｔｈｒｅｈｓｏｌｄＣｏｎｆｉｇにおいて、受信されたインデックスに従って、ＢＬＥＲペア閾値を再設定する、そこでＢＬＥＲペアへのインデックスマッピングはＴＳ３８．２１１に規定されている、
２＞タイマＴ３１０、Ｔ３１２、Ｔ３１３及びＲＬＭパラメータの影響を受け得る任意の他のＲＬＦ関連タイマ若しくは故障関連タイマを停止する、
２＞ＲＬＦカウンタＮ３１０、Ｎ３１１、Ｎ３１３、Ｎ３１４或いはＲＬＭ設定の影響を受け得る下位レイヤからのＩＳ及びＯＯＳインジケーションの任意の他のカウンタをクリアする、
２＞もしあれば、ＶａｒＲＬＦ報告に含まれている情報をクリアする。
【０１１５】
ネットワークノードにおいて実行される方法の第３の実施形態において、ＵＥは単に、いくつかの特定のＲＬＭ再設定が実行されるときに、ＲＬＦ関連カウンタをリセットし、測定結果を削除する。たとえば、ＵＥは、ＲＳタイプ資源のいずれかが追加されているときにのみ、ＲＬＦ関連カウンタをリセットする、すなわち、ＵＥは、ＲＳ資源が取り除かれるときには、カウンタをリセットせず、タイマを停止しない。第３の実施形態は、本開示の実施形態のうちのいくつかについて３８．３３１への更新を提供する。
【０１１６】
第３の実施形態において、無線ソース設定に関して、ＵＥは、以下を行うことになる：
１＞受信されたｒａｄｉｏＲｅｓｏｕｒｃｅＣｏｎｆｉｇＤｅｄｉｃａｔｅｄが、ｒｌｍ−Ｃｏｎｆｉｇを含む場合：
２＞５．３．１０．ｘに規定されているように無線リンクモニタリングパラメータを再設定する。
【０１１７】
第３の実施形態において、無線リンクモニタリングパラメータ再設定に関して、ＵＥは、以下を行うことになる：
１＞受信されたｒｌｍ−Ｃｏｎｆｉｇが、ｓｓｂＲｅｓｏｕｒｃｅｓＴｏＡｄｄＭｏｄＬｉｓｔを含む場合、
２＞ｓｓｂＲｅｓｏｕｒｃｅｓＴｏＡｄｄＭｏｄＬｉｓｔに含まれる各ｓｓｂＩｎｄｅｘ値について、
３＞整合するｓｓｂＩｎｄｅｘを有するエントリが、ｓｓｂＲｅｓｏｕｒｃｅｓＴｏＡｄｄＭｏｄＬｉｓｔ内に存在する場合、
４＞受信されたｓｓｂＩｎｄｅｘの新しいエントリをｓｓｂＲｅｓｏｕｒｃｅｓＴｏＡｄｄＭｏｄＬｉｓｔに追加する、
４＞タイマＴ３１０、Ｔ３１２、Ｔ３１３及びＲＬＭパラメータの影響を受け得る任意の他のＲＬＦ関連タイマ若しくは故障関連タイマを停止する、
４＞ＲＬＦカウンタＮ３１０、Ｎ３１１、Ｎ３１３、Ｎ３１４或いはＲＬＭ設定の影響を受け得る下位レイヤからのＩＳ及びＯＯＳインジケーションの任意の他のカウンタをクリアする、
４＞もしあれば、ＶａｒＲＬＦ報告に含まれている情報をクリアする、
１＞受信されたｒｌｍ−Ｃｏｎｆｉｇが、ｃｓｉ−ＲＳ−ＲｅｓｏｕｒｃｅｓＴｏＡｄｄＭｏｄＬｉｓｔを含む場合、
２＞ｃｓｉ−ＲＳ−ＲｅｓｏｕｒｃｅｓＴｏＡｄｄＭｏｄＬｉｓｔに含まれた各ｃｓｉ−ｒｓ−Ｉｎｄｅｘ値について、
３＞整合するｃｓｉ−ｒｓ−Ｉｎｄｅｘを有するエントリが、ｃｓｉ−ＲＳ−ＲｅｓｏｕｒｃｅｓＴｏＡｄｄＭｏｄＬｉｓｔ内に存在する場合、
４＞受信されたｃｓｉ−ｒｓ−Ｉｎｄｅｘの新しいエントリをｃｓｉ−ＲＳ−ＲｅｓｏｕｒｃｅｓＴｏＡｄｄＭｏｄＬｉｓｔに追加する、
４＞タイマＴ３１０、Ｔ３１２、Ｔ３１３及びＲＬＭパラメータの影響を受け得る任意の他のＲＬＦ関連タイマ若しくは故障関連タイマを停止する、
４＞ＲＬＦカウンタＮ３１０、Ｎ３１１、Ｎ３１３、Ｎ３１４或いはＲＬＭ設定の影響を受け得る下位レイヤからのＩＳ及びＯＯＳインジケーションの任意の他のカウンタをクリアする、
４＞もしあれば、ＶａｒＲＬＦ報告に含まれている情報をクリアする、
１＞受信されたｒｌｍ−Ｃｏｎｆｉｇが、ｓｓｂＲｅｓｏｕｒｃｅｓＴｏＲｅｍｏｖｅＬｉｓｔを含む場合、
２＞ｓｓｂＲｅｓｏｕｒｃｅｓＴｏＡｄｄＭｏｄＬｉｓｔに含まれる各ｓｓｂＩｎｄｅｘ値について、
３＞整合するｓｓｂＩｎｄｅｘを有するエントリをｓｓｂＲｅｓｏｕｒｃｅｓＴｏＡｄｄＭｏｄＬｉｓｔから取り除く、
１＞受信されたｒｌｍ−Ｃｏｎｆｉｇが、ｃｓｉ−ＲＳ−ＲｅｓｏｕｒｃｅｓＴｏＲｅｍｏｖｅＬｉｓｔを含む場合、
２＞ｃｓｉ−ＲＳ−ＲｅｓｏｕｒｃｅｓＴｏＲｅｍｏｖｅＬｉｓｔに含まれた各ｃｓｉ−ｒｓ−Ｉｎｄｅｘ値について、
３＞整合するｃｓｉ−ｒｓ−Ｉｎｄｅｘを有するエントリをｃｓｉ−ＲＳ−ＲｅｓｏｕｒｃｅｓＴｏＲｅｍｏｖｅＬｉｓｔから取り除く、
１＞受信されたｒｌｍ−Ｃｏｎｆｉｇが、ＲＬＭ−ＩＳ−ＯＯＳ−ｔｈｒｅｈｓｏｌｄＣｏｎｆｉｇを含む場合、
２＞ＲＬＭ−ＩＳ−ＯＯＳ−ｔｈｒｅｈｓｏｌｄＣｏｎｆｉｇにおいて、受信されたインデックスに従って、ＢＬＥＲペア閾値を再設定する、そこでＢＬＥＲペアへのインデックスマッピングはＴＳ３８．２１１に規定されている。
【０１１８】
ネットワークノードにおいて実行される方法の第４の実施形態において、ＵＥは単に、いくつかの特定のＲＬＭ再設定が実行されるときにＲＬＦ関連カウンタをリセットし、測定結果を削除する。たとえば、ＵＥは、ＲＳタイプ資源のいずれかが取り除かれているときにのみ、ＲＬＦ関連カウンタをリセットする、すなわち、ＵＥは、ＲＳ資源が追加されるとき、リセットカウンタをリセットせず、タイマを停止しない。第４の実施形態は、本開示における実施形態のうちのいくつかについて３８．３３１への更新を提供する。
【０１１９】
第４の実施形態において、無線ソース設定に関して、ＵＥは、以下を行うことになる：
１＞受信されたｒａｄｉｏＲｅｓｏｕｒｃｅＣｏｎｆｉｇＤｅｄｉｃａｔｅｄが、ｒｌｍ−Ｃｏｎｆｉｇを含む場合：
２＞５．３．１０．ｘに規定されているように無線リンクモニタリングパラメータを再設定する。
【０１２０】
第４の実施形態において、無線リンクモニタリングパラメータ再設定に関して、ＵＥは、以下を行うことになる：
１＞受信されたｒｌｍ−Ｃｏｎｆｉｇが、ｓｓｂＲｅｓｏｕｒｃｅｓＴｏＡｄｄＭｏｄＬｉｓｔを含む場合、
２＞ｓｓｂＲｅｓｏｕｒｃｅｓＴｏＡｄｄＭｏｄＬｉｓｔに含まれる各ｓｓｂＩｎｄｅｘ値について、
３＞整合するｓｓｂＩｎｄｅｘを有するエントリが、ｓｓｂＲｅｓｏｕｒｃｅｓＴｏＡｄｄＭｏｄＬｉｓｔ内に存在する場合、
４＞受信されたｓｓｂＩｎｄｅｘの新しいエントリをｓｓｂＲｅｓｏｕｒｃｅｓＴｏＡｄｄＭｏｄＬｉｓｔに追加する、
４＞タイマＴ３１０、Ｔ３１２、Ｔ３１３及びＲＬＭパラメータの影響を受け得る任意の他のＲＬＦ関連タイマ若しくは故障関連タイマを停止する、
４＞ＲＬＦカウンタＮ３１０、Ｎ３１１、Ｎ３１３、Ｎ３１４或いはＲＬＭ設定の影響を受け得る下位レイヤからのＩＳ及びＯＯＳインジケーションの任意の他のカウンタをクリアする、
４＞もしあれば、ＶａｒＲＬＦ報告に含まれている情報をクリアする、
１＞受信されたｒｌｍ−Ｃｏｎｆｉｇが、ｃｓｉ−ＲＳ−ＲｅｓｏｕｒｃｅｓＴｏＡｄｄＭｏｄＬｉｓｔを含む場合、
２＞ｃｓｉ−ＲＳ−ＲｅｓｏｕｒｃｅｓＴｏＡｄｄＭｏｄＬｉｓｔに含まれた各ｃｓｉ−ｒｓ−Ｉｎｄｅｘ値について、
３＞整合するｃｓｉ−ｒｓ−Ｉｎｄｅｘを有するエントリが、ｃｓｉ−ＲＳ−ＲｅｓｏｕｒｃｅｓＴｏＡｄｄＭｏｄＬｉｓｔ内に存在する場合、
４＞受信されたｃｓｉ−ｒｓ−Ｉｎｄｅｘの新しいエントリをｃｓｉ−ＲＳ−ＲｅｓｏｕｒｃｅｓＴｏＡｄｄＭｏｄＬｉｓｔに追加する、
１＞受信されたｒｌｍ−Ｃｏｎｆｉｇが、ｓｓｂＲｅｓｏｕｒｃｅｓＴｏＲｅｍｏｖｅＬｉｓｔを含む場合、
２＞ｓｓｂＲｅｓｏｕｒｃｅｓＴｏＡｄｄＭｏｄＬｉｓｔに含まれる各ｓｓｂＩｎｄｅｘ値について、
３＞整合するｓｓｂＩｎｄｅｘを有するエントリをｓｓｂＲｅｓｏｕｒｃｅｓＴｏＡｄｄＭｏｄＬｉｓｔから取り除く、
３＞タイマＴ３１０、Ｔ３１２、Ｔ３１３及びＲＬＭパラメータの影響を受け得る任意の他のＲＬＦ関連タイマ若しくは故障関連タイマを停止する、
３＞ＲＬＦカウンタＮ３１０、Ｎ３１１、Ｎ３１３、Ｎ３１４或いはＲＬＭ設定の影響を受け得る下位レイヤからのＩＳ及びＯＯＳインジケーションの任意の他のカウンタをクリアする、
３＞もしあれば、ＶａｒＲＬＦ報告に含まれている情報をクリアする、
１＞受信されたｒｌｍ−Ｃｏｎｆｉｇが、ｃｓｉ−ＲＳ−ＲｅｓｏｕｒｃｅｓＴｏＲｅｍｏｖｅＬｉｓｔを含む場合、
２＞ｃｓｉ−ＲＳ−ＲｅｓｏｕｒｃｅｓＴｏＲｅｍｏｖｅＬｉｓｔに含まれた各ｃｓｉ−ｒｓ−Ｉｎｄｅｘ値について、
３＞整合するｃｓｉ−ｒｓ−Ｉｎｄｅｘを有するエントリをｃｓｉ−ＲＳ−ＲｅｓｏｕｒｃｅｓＴｏＲｅｍｏｖｅＬｉｓｔから取り除く、
３＞タイマＴ３１０、Ｔ３１２、Ｔ３１３及びＲＬＭパラメータの影響を受け得る任意の他のＲＬＦ関連タイマ若しくは故障関連タイマを停止する、
３＞ＲＬＦカウンタＮ３１０、Ｎ３１１、Ｎ３１３、Ｎ３１４或いはＲＬＭ設定の影響を受け得る下位レイヤからのＩＳ及びＯＯＳインジケーションの任意の他のカウンタをクリアする、
３＞もしあれば、ＶａｒＲＬＦ報告に含まれている情報をクリアする、
１＞受信されたｒｌｍ−Ｃｏｎｆｉｇが、ＲＬＭ−ＩＳ−ＯＯＳ−ｔｈｒｅｈｓｏｌｄＣｏｎｆｉｇを含む場合、
２＞ＲＬＭ−ＩＳ−ＯＯＳ−ｔｈｒｅｈｓｏｌｄＣｏｎｆｉｇにおいて、受信されたインデックスに従って、ＢＬＥＲペア閾値を再設定する、そこでＢＬＥＲペアへのインデックスマッピングはＴＳ３８．２１１に規定されている。
【０１２１】
図９は、ある種の実施形態による、例示的無線ネットワークである。本明細書に記載の主題は、任意の適切な構成要素を使用する任意の適切なタイプのシステムにおいて実装され得るが、本明細書で開示される実施形態は、図９に示された例示的ワイヤレスネットワークなど、ワイヤレスネットワークに関連して説明される。簡単にするために、図９のワイヤレスネットワークは、ネットワーク９０６、ネットワークノード９６０及び９６０ｂ、並びにワイヤレスデバイス（ＷＤ：ｗｉｒｅｌｅｓｓ  ｄｅｖｉｃｅ）９１０、９１０ｂ、及び９１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード９６０及びワイヤレスデバイス（ＷＤ）９１０は、さらに詳しく描かれている。一部の実施形態では、ネットワークノード９６０は、ｇＮＢなどの基地局でもよい。ある種の実施形態では、ワイヤレスデバイス９１０は、図１９にさらに示されたユーザ機器でもよい。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【０１２２】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又はプロシージャに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【０１２３】
ネットワーク９０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【０１２４】
ネットワークノード９６０及びＷＤ９１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【０１２５】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【０１２６】
図９において、ネットワークノード９６０は、処理回路９７０、デバイス可読媒体９８０、インターフェース９９０、補助機器９８８、電源９８６、電力回路９８７、及びアンテナ９６２を含む。図９の例示的ワイヤレスネットワークに示されたネットワークノード９６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード９６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体９８０は、複数の別個のハードドライブ並びに複数のＲＡＭモジュールを備え得る）。
【０１２７】
同様に、ネットワークノード９６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード９６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード９６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体９８０）、いくつかの構成要素は再使用され得る（たとえば、同じアンテナ９６２がＲＡＴによって共用され得る）。ネットワークノード９６０はまた、たとえば、ＧＳＭ、ＷＣＤＭＡ、ＬＴＥ、ＮＲ、ＷｉＦｉ、又はブルートゥースワイヤレス技術など、ネットワークノード９６０に統合された異なるワイヤレス技術のための様々な図示された構成要素の複数のセットを含み得る。これらのワイヤレス技術は、ネットワークノード９６０内の同じ又は異なるチップ又はチップのセット及び他の構成要素内に統合され得る。
【０１２８】
処理回路９７０は、ネットワークノードによって提供されているものとして本明細書に記載された任意の判定、計算又は類似の動作（たとえば、ある種の取得動作）を実行するように設定される。処理回路９７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路９７０によって取得された情報を処理すること、並びに前記処理の結果として判定を行うことを含み得る。
【０１２９】
処理回路９７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体９８０などの他のネットワークノード９６０構成要素と併せて、ネットワークノード９６０機能を提供するように動作可能なハードウェア、ソフトウェア及び／又は符号化されたロジックの組合せを備え得る。たとえば、処理回路９７０は、デバイス可読媒体９８０に又は処理回路９７０内のメモリに記憶された命令を実行し得る。そのような機能性は、本明細書で論じられる様々なワイヤレス特徴、機能、又は利益のいずれかの提供を含み得る。一部の実施形態では、処理回路９７０は、システムオンチップ（ＳＯＣ）を含み得る。
【０１３０】
一部の実施形態では、処理回路９７０は、無線周波数（ＲＦ）トランシーバ回路９７２及びベースバンド処理回路９７４のうちの１つ又は複数を含み得る。一部の実施形態では、無線周波数（ＲＦ）トランシーバ回路９７２及びベースバンド処理回路９７４は、別個のチップ（又はチップのセット）、ボード、又は、無線ユニット及びデジタルユニットなどのユニット上でもよい。代替実施形態において、ＲＦトランシーバ回路９７２及びベースバンド処理回路９７４の一部又はすべては、同じチップ又はチップのセット、ボード、又はユニット上でもよい。
【０１３１】
ある種の実施形態では、ネットワークノード、基地局、ｅＮＢ又は他のそのようなネットワークデバイスによって提供されているものとしての本明細書に記載の機能性の一部又はすべては、デバイス可読媒体９８０又は処理回路９７０内のメモリに記憶された命令を実行する処理回路９７０によって実行され得る。代替実施形態において、機能性のうちの一部又はすべては、ハードワイヤード方式などで、別個の又はディスクリートデバイスの可読媒体に記憶された命令を実行することなしに処理回路９７０によって提供され得る。それらの実施形態のいずれにおいてでも、デバイス可読記憶媒体に記憶された命令を実行してもしなくても、処理回路９７０は、記載された機能を実行するように設定することができる。そのような機能によってもたらされる利益は、単独で処理回路９７０に又はネットワークノード９６０の他の構成要素に制限されないが、ネットワークノード９６０全体によって、並びに／或いは一般にエンドユーザ及びワイヤレスネットワークによって享受される。
【０１３２】
デバイス可読媒体９８０は、処理回路９７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体９８０は、コンピュータプログラム、ソフトウェア、ロジック、ルール、コード、テーブルなどのうちの１つ又は複数を含むアプリケーション、及び／又は処理回路９７０によって実行することができる及びネットワークノード９６０によって使用することができる他の命令を含む、任意の適切な命令、データ又は情報を記憶し得る。デバイス可読媒体９８０は、処理回路９７０によって行われる任意の計算及び／又はインターフェース９９０を介して受信される任意のデータを記憶するために使用され得る。一部の実施形態では、処理回路９７０及びデバイス可読媒体９８０は、統合されると考えられ得る。
【０１３３】
インターフェース９９０は、ネットワークノード９６０、ネットワーク９０６、及び／又はＷＤ９１０の間のシグナリング及び／又はデータのワイヤード又はワイヤレス通信において使用される。図示されているように、インターフェース９９０は、たとえば、ワイヤード接続を介してネットワーク９０６に及びネットワーク９０６から、データを送信及び受信するために、ポート／端末９９４を備える。インターフェース９９０はまた、アンテナ９６２に連結され得る又はある種の実施形態においてアンテナ９６２の一部であることがある、無線フロントエンド回路９９２を含む。無線フロントエンド回路９９２は、フィルタ９９８及び増幅器９９６を備える。無線フロントエンド回路９９２は、アンテナ９６２及び処理回路９７０に接続され得る。無線フロントエンド回路は、アンテナ９６２と処理回路９７０との間で通信される信号を調整するように設定され得る。無線フロントエンド回路９９２は、ワイヤレス接続を介して他のネットワークノード又はＷＤに送出されることになるデジタルデータを受信し得る。無線フロントエンド回路９９２は、フィルタ９９８及び／又は増幅器９９６の組合せを使用する適切なチャンネル及び帯域幅パラメータを有する無線信号にデジタルデータを変換し得る。無線信号は、次いで、アンテナ９６２を介して送信され得る。同様に、データを受信するとき、アンテナ９６２は、次いで無線フロントエンド回路９９２によってデジタルデータに変換される無線信号を収集し得る。デジタルデータは、処理回路９７０に渡され得る。他の実施形態において、インターフェースは、異なる構成要素及び／又は異なる組合せの構成要素を備え得る。
【０１３４】
ある種の代替実施形態において、ネットワークノード９６０は、別個の無線フロントエンド回路９９２を含まないことがあり、代わりに、処理回路９７０が、無線フロントエンド回路を備え得、別個の無線フロントエンド回路９９２なしにアンテナ９６２に接続され得る。同様に、一部の実施形態では、すべての又は一部のＲＦトランシーバ回路９７２は、インターフェース９９０の一部と考えられ得る。さらに他の実施形態において、インターフェース９９０は、１つ又は複数のポート又は端末９９４、無線フロントエンド回路９９２、並びにＲＦトランシーバ回路９７２、無線ユニット（図示せず）の一部としての、を含み得、そして、インターフェース９９０は、デジタルユニット（図示せず）の一部であるベースバンド処理回路９７４と通信し得る。
【０１３５】
アンテナ９６２は、ワイヤレス信号を送信及び／又は受信するように設定された、１つ又は複数のアンテナ、又はアンテナアレイを含み得る。アンテナ９６２は、無線フロントエンド回路９９０に結合され得、ワイヤレスにデータ及び／又は信号を送信及び受信する能力を有する任意のタイプのアンテナでもよい。一部の実施形態では、アンテナ９６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ９６２は、ネットワークノード９６０とは別個でもよく、インターフェース又はポートを介してネットワークノード９６０に接続可能になり得る。
【０１３６】
アンテナ９６２、インターフェース９９０、及び／又は処理回路９７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ９６２、インターフェース９９０、及び／又は処理回路９７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【０１３７】
電力回路９８７は、電力管理回路を備え得る、又はこれに連結され得、本明細書に記載の機能性を実行するための電力をネットワークノード９６０の構成要素に供給するように設定される。電力回路９８７は、電源９８６から電力を受信し得る。電源９８６及び／又は電力回路９８７は、それぞれの構成要素に適した形でネットワークノード９０６の様々な構成要素に電力を提供する（たとえば、それぞれの構成要素のために必要とされる電圧及び電流レベルで）ように設定され得る。電源９８６は、電力回路９８７及び／又はネットワークノード９６０に含まれても、これらの外部でもよい。たとえば、ネットワークノード９６０は、電気ケーブルなどの入力回路又はインターフェースを介して外部電源（たとえば、電気コンセント）に接続可能になり得、それにより、外部電源が電力回路９８７に電力を供給する。さらなる例として、電源９８６は、電力回路９８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【０１３８】
ネットワークノード９６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図９に示されたものを超える追加の構成要素を含み得る。たとえば、ネットワークノード９６０は、ネットワークノード９６０への情報の入力を可能にするために、及びネットワークノード９６０からの情報の出力を可能にするために、ユーザインターフェース機器を含み得る。これは、ネットワークノード９６０のための診断、メンテナンス、修理、及び他の管理機能をユーザが実行することを可能にし得る。
【０１３９】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ある種の実施形態では、ワイヤレスデバイス９１０は、図９及び１９にさらに示されたユーザ機器でもよい。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得���。さらに、前述のようなＷＤは、モバイルでもよく、その場合、それはモバイルデバイス又はモバイル端末とも称され得る。
【０１４０】
図示されているように、ワイヤレスデバイス９１０は、アンテナ９１１、インターフェース９１４、処理回路９２０、デバイス可読媒体９３０、ユーザインターフェース機器９３２、補助機器９３４、電源９３６及び電力回路９３７を含む。ＷＤ９１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ９１０によってサポートされる異なるワイヤレス技術のための、図示された構成要素のうちの１つ又は複数の構成要素の複数のセットを含み得る。これらのワイヤレス技術は、ＷＤ９１０内の他の構成要素と同じ又は異なるチップ又はチップのセットに統合され得る。
【０１４１】
アンテナ９１１は、ワイヤレス信号を送信及び／又は受信するように設定された１つ又は複数のアンテナ又はアンテナアレイを含み得、インターフェース９１４に接続される。ある種の代替実施形態において、アンテナ９１１は、ＷＤ９１０とは別個でもよく、インターフェース又はポートを介してＷＤ９１０に接続可能になり得る。アンテナ９１１、インターフェース９１４、及び／又は処理回路９２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ９１１は、インターフェースと考えられ得る。
【０１４２】
図示されているように、インターフェース９１４は、無線フロントエンド回路９１２及びアンテナ９１１を備える。無線フロントエンド回路９１２は、１つ又は複数のフィルタ９１８及び増幅器９１６を備える。無線フロントエンド回路９１４は、アンテナ９１１及び処理回路９２０に接続され、アンテナ９１１と処理回路９２０との間で通信される信号を調整するように設定される。無線フロントエンド回路９１２は、アンテナ９１１に連結され得る、又はアンテナ９１１の一部でもよい。一部の実施形態では、ＷＤ９１０は、別個の無線フロントエンド回路９１２を含まないことがあり、そうではなくて、処理回路９２０は、無線フロントエンド回路を備え得、アンテナ９１１に接続され得る。同様に、一部の実施形態では、ＲＦトランシーバ回路９２２の一部又はすべては、インターフェース９１４の一部と考えられ得る。無線フロントエンド回路９１２は、ワイヤレス接続を介して他のネットワークノード又はＷＤに送出されることになるデジタルデータを受信し得る。無線フロントエンド回路９１２は、フィルタ９１８及び／又は増幅器９１６の組合せを使用して適切なチャンネル及び帯域幅パラメータを有する無線信号にデジタルデータを変換し得る。無線信号は、次いで、アンテナ９１１を介して送信され得る。同様に、データを受信しているとき、アンテナ９１１は、次いで無線フロントエンド回路９１２によってデジタルデータに変換される、無線信号を収集し得る。デジタルデータは、処理回路９２０に渡され得る。他の実施形態において、インターフェースは、異なる構成要素及び／又は異なる組合せの構成要素を備え得る。
【０１４３】
処理回路９２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体９３０などの他のＷＤ９１０構成要素と連動して、ＷＤ９１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路９２０は、本明細書で開示される機能性を提供するために、デバイス可読媒体９３０に又は処理回路９２０内のメモリに記憶された命令を実行し得る。特定の実施形態において、ワイヤレスデバイス９１０の処理回路９２０は、図１８にさらに示された方法を実行し得る。
【０１４４】
図示されているように、処理回路９２０は、ＲＦトランシーバ回路９２２、ベースバンド処理回路９２４、及びアプリケーション処理回路９２６のうちの１つ又は複数を含む。他の実施形態において、処理回路は、異なる構成要素及び／又は異なる組合せの構成要素を備え得る。ある種の実施形態では、ＷＤ９１０の処理回路９２０は、ＳＯＣを備え得る。一部の実施形態では、ＲＦトランシーバ回路９２２、ベースバンド処理回路９２４、及びアプリケーション処理回路９２６は、別個のチップ又はチップのセット上にあることがある。代替実施形態において、ベースバンド処理回路９２４及びアプリケーション処理回路９２６の一部又はすべては、１つのチップ又はチップのセット内に結合され得、ＲＦトランシーバ回路９２２は、別個のチップ又はチップのセット上にあってもよい。さらに代替実施形態において、ＲＦトランシーバ回路９２２及びベースバンド処理回路９２４の一部又はすべては、同じチップ又はチップのセット上にあることがあり、アプリケーション処理回路９２６は、別個のチップ又はチップのセット上にあることがある。さらに他の代替実施形態において、ＲＦトランシーバ回路９２２、ベースバンド処理回路９２４、及びアプリケーション処理回路９２６の一部又はすべては、同じチップ又はチップのセット内に結合され得る。一部の実施形態では、ＲＦトランシーバ回路９２２は、インターフェース９１４の一部でもよい。ＲＦトランシーバ回路９２２は、処理回路９２０のＲＦ信号を調整し得る。
【０１４５】
ある種の実施形態では、ＷＤによって実行されるものとして本明細書に記載の機能性の一部又はすべては、ある種の実施形態ではコンピュータ可読記憶媒体であることがある、デバイス可読媒体９３０に記憶された命令を実行する処理回路９２０によって提供され得る。代替実施形態において、機能性の一部の又はすべては、ハードワイヤード方式などで、別個の又はディスクリートデバイスの可読記憶媒体に記憶された命令を実行することなしに処理回路９２０によって提供され得る。それらの特定の実施形態のいずれかにおいて、デバイス可読記憶媒体に記憶された命令を実行してもしなくても、処理回路９２０は、記載された機能性を実行するように設定することができる。そのような機能性によって提供される利益は、単独で処理回路９２０に又はＷＤ９１０の他の構成要素に限定されず、全体としてのＷＤ９１０によって、及び／又は一般にエンドユーザ及びワイヤレスネットワークによって、享受される。
【０１４６】
処理回路９２０は、ＷＤによって実行されるものとして本明細書に記載された任意の決定、計算、又は類似の動作（たとえば、ある種の取得動作）を実行するように設定され得る。処理回路９２０によって実行されるものとしての、これらの動作は、たとえば、取得された情報を他の情報に変換すること、取得された情報又は変換された情報をＷＤ９１０によって記憶された情報と比較すること、及び／又は取得された情報又は変換された情報に基づいて１つ又は複数の動作を実行することにより、処理回路９２０によって取得された情報を処理すること、並びに前記処理の結果として判定を行うことを含み得る。
【０１４７】
デバイス可読媒体９３０は、コンピュータプログラム、ソフトウェア、ロジック、ルール、コード、テーブルなどのうちの１つ又は複数を含むアプリケーション及び／又は処理回路９２０によって実行することが可能な他の命令を記憶するように動作可能になり得る。デバイス可読媒体９３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路９２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路９２０及びデバイス可読媒体９３０は、統合されたものとして考えられ得る。
【０１４８】
ユーザインターフェース機器９３２は、人間のユーザがＷＤ９１０と相互作用することを可能にする構成要素を提供し得る。そのような相互作用は、視覚、聴覚、触覚などの多数の形態をとり得る。ユーザインターフェース機器９３２は、ユーザへの出力を生み出すように及びユーザが入力をＷＤ９１０に提供することを可能にするように動作可能になり得る。相互作用のタイプは、ＷＤ９１０にインストールされたユーザインターフェース機器９３２のタイプに応じて変化し得る。たとえば、ＷＤ９１０がスマートフォンである場合には、相互作用はタッチスクリーンを介し得、ＷＤ９１０がスマートメーターである場合には、相互作用は、使用量（たとえば、使用されたガロン数）を提供するスクリーン又は警報音を提供する（たとえば、煙が検知された場合に）スピーカを介し得る。ユーザインターフェース機器９３２は、入力インターフェース、デバイス及び回路と、出力インターフェース、デバイス及び回路とを含み得る。ユーザインターフェース機器９３２は、ＷＤ９１０への情報の入力を可能にするように設定され、処理回路９２０に接続されて処理回路９２０が入力情報を処理することを可能にする。ユーザインターフェース機器９３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器９３２はまた、ＷＤ９１０からの情報の出力を可能にするように、及び処理回路９２０がＷＤ９１０から情報を出力することを可能にするように設定される。ユーザインターフェース機器９３２は、たとえば、スピーカ、ディスプレイ、振動回路、ＵＳＢポート、ヘッドフォンインターフェース、又は他の出力回路を含み得る。ユーザインターフェース機器９３２の１つ又は複数の入力及び出力インターフェース、デバイス、及び回路を使用し、ＷＤ９１０は、エンドユーザ及び／又はワイヤレスネットワークと通信することができ、それらが本明細書に記載の機能性から利益を得ることを可能にし得る。
【０１４９】
補助機器９３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器９３４の構成要素の包含及びタイプは、実施形態及び／又はシナリオに応じて異なり得る。
【０１５０】
一部の実施形態では、電源９３６は、バッテリ又はバッテリパックの形でもよい。外部電源（たとえば、電気コンセント）、光電池デバイス又は動力電池など、他のタイプの電源もまた使用され得る。ＷＤ９１０はさらに、本明細書に記載又は示された任意の機能性を実行するために電源９３６からの電力を必要とするＷＤ９１０の様々な部分に電源９３６から電力を届けるための電力回路９３７を備え得る。ある種の実施形態では、電力回路９３７は、電力管理回路を備え得る。電力回路９３７は、付加的に又は別法として外部電源から電力を受信するように動作可能になり得、その場合、ＷＤ９１０は、入力回路又は電気動力ケーブルなどのインターフェースを介して外部電源（電気コンセントなど）に接続可能になり得る。ある種の実施形態では、電力回路９３７はまた、外部電源から電源９３６に電力を届けるように動作可能になり得る。これは、たとえば、電源９３６の充電のためでもよい。電力回路９３７は、任意のフォーマッティング、変換、又は他の修正を電源９３６からの電力に実行して、電力を、電力が供給される先のＷＤ９１０のそれぞれの構成要素に適するようにさせることができる。
【０１５１】
図１０は、本明細書に記載の様々な態様によるＵＥの１つの実施形態を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ１０００は、ＮＢ−ＩｏＴ  ＵＥ、ＭＴＣ  ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図１０に示されているような、ＵＥ１０００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。ある種の実施形態では、ユーザ機器１０００は、図１９にさらに示されるユーザ機器でもよい。前述のように、ＷＤ及びＵＥという用語は、置き換え可能に使用され得る。したがって、図１０はＵＥであるが、本明細書で論じられる構成要素は、ＷＤに同等に適用可能であり、逆もまた同様である。
【０１５２】
図１０では、ＵＥ１０００は、入力／出力インターフェース１００５、無線周波数（ＲＦ）インターフェース１００９、ネットワーク接続インターフェース１０１１、ランダムアクセスメモリ（ＲＡＭ）１０１７、読取り専用メモリ（ＲＯＭ）１０１９、及び記憶媒体１０２１などを含むメモリ１０１５、通信サブシステム１０３１、電源１０３３、及び／又は任意の他の構成要素、或いはその任意の組合せに動作可能なように連結された、処理回路１００１を含む。記憶媒体１０２１は、オペレーティングシステム１０２３、アプリケーションプログラム１０２５、及びデータ１０２７を含む。他の実施形態において、記憶媒体１０２１は、他の類似のタイプの情報を含み得る。ある種のＵＥは、図１０に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１５３】
図１０では、処理回路１００１は、コンピュータ命令及びデータを処理するように設定され得る。処理回路１００１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路１００１は、２つの中央処理装置（ＣＰＵ）を含み得る。データは、コンピュータによる使用に適した形の情報でもよい。
【０１５４】
図示された実施形態では、入力／出力インターフェース１００５は、通信インターフェースを入力デバイス、出力デバイス、或いは、入力及び出力デバイスに提供するように設定され得る。ＵＥ１０００は、入力／出力インターフェース１００５を介して出力デバイスを使用するように設定され得る。出力デバイスは、入力デバイスと同じタイプのインターフェースポートを使用し得る。たとえば、ＵＳＢポートは、ＵＥ１０００への入力及びＵＥ１０００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ１０００は、ユーザがＵＥ１０００内に情報をキャプチャすることを可能にするために入力／出力インターフェース１００５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１５５】
図１０では、ＲＦインターフェース１００９は、送信器、受信器、及びアンテナなどのＲＦ構成要素に通信インターフェースを提供するように設定され得る。ネットワーク接続インターフェース１０１１は、通信インターフェースをネットワーク１０４３ａに提供するように設定され得る。ネットワーク１０４３ａは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク１０４３ａは、Ｗｉ−Ｆｉネットワークを備え得る。ネットワーク接続インターフェース１０１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース１０１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１５６】
ＲＡＭ１０１７は、オペレーティングシステム、アプリケーションプログラム、及びデバイスドライバなどのソフトウェアプログラムの実行中にデータ又はコンピュータ命令の記憶又はキャッシュを行うために処理回路１００１にバス１００２を介してインターフェースするように設定され得る。ＲＯＭ１０１９は、コンピュータ命令又はデータを処理回路１００１に提供するように設定され得る。たとえば、ＲＯＭ１０１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体１０２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体１０２１は、オペレーティングシステム１０２３、ウェブブラウザアプリケーションなどのアプリケーションプログラム１０２５、ウィジェット若しくはガジェットエンジン又は別のアプリケーション、及びデータファイル１０２７を含むように設定され得る。記憶媒体１０２１は、ＵＥ１０００によって使用するために、バラエティ豊かな様々なオペレーティングシステムのいずれか又はオペレーティングシステムの組合せを記憶し得る。
【０１５７】
記憶媒体１０２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体１０２１は、ＵＥ１０００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体１０２１において有形に実施され得る。
【０１５８】
図１０において、処理回路１００１は、通信サブシステム１０３１を使用するネットワーク１０４３ｂと通信するように設定され得る。ネットワーク１０４３ａ及びネットワーク１０４３ｂは、１つ又は複数の同じネットワーク或いは１つ又は複数の異なるネットワークでもよい。通信サブシステム１０３１は、ネットワーク１０４３ｂと通信するために使用される１つ又は複数のトランシーバを含むように設定され得る。たとえば、通信サブシステム１０３１は、ＩＥＥＥ８０２．５、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器１０３３及び／又は受信器１０３５を含み得る。さらに、各トランシーバの送信器１０３３及び受信器１０３５は、回路構成要素、ソフトウェア又はファームウェアを共用し得る、或いは別法として別個に実装され得る。
【０１５９】
図示された実施形態において、通信サブシステム１０３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム１０３１は、セルラ通信、Ｗｉ−Ｆｉ通信、ブルートゥース通信、及びＧＰＳ通信を含み得る。ネットワーク１０４３ｂは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク１０４３ｂは、セルラネットワーク、Ｗｉ−Ｆｉネットワーク、及び／又は近距離無線ネットワークでもよい。電源１０１３は、交流（ＡＣ）又は直流（ＤＣ）電力をＵＥ１０００の構成要素に提供するように設定され得る。
【０１６０】
本明細書に記載の特徴、利益及び／又は機能は、ＵＥ１０００の構成要素のうちの１つにおいて実装され得る、又はＵＥ１０００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム１０３１は、本明細書に記載の構成要素のいずれかを含むように設定され得る。さらに、処理回路１００１は、バス１００２を介してそのような構成要素のいずれかと通信するように設定され得る。別の例では、そのような構成要素のいずれかは、処理回路１００１によって実行されたときに本明細書に記載の対応する機能を実行するメモリに記憶されたプログラム命令によって表され得る。別の例では、そのような構成要素のうちのいずれかの構成要素の機能性は、処理回路１００１と通信サブシステム１０３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１６１】
図１１は、ある種の実施形態による、例示的仮想化環境を示す。図１１は、一部の実施形態によって実装される機能が仮想化され得る仮想化環境１１００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１６２】
一部の実施形態では、本明細書に記載の機能の一部又はすべては、ハードウェアノード１１３０のうちの１つ又は複数によってホストされる１つ又は複数の仮想環境１１００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１６３】
本機能は、本明細書で開示される実施形態のうちのいくつかの実施形態の特徴、機能、及び／又は利益のうちのいくつかを実装するように動作可能な１つ又は複数のアプリケーション１１２０（ソフトウェアインスタンス、仮想アプライアンス、ネットワーク機能、仮想ノード、仮想ネットワーク機能などと別称され得る）によって実装され得る。アプリケーション１１２０は、処理回路１１６０及びメモリ１１９０を備えるハードウェア１１３０を提供する仮想化環境１１００において実行される。メモリ１１９０は、処理回路１１６０によって実行可能な命令１１９５を含み、それにより、アプリケーション１１２０は、本明細書で開示される特徴、利益、及び／又は機能のうちの１つ又は複数を提供するように動作可能である。
【０１６４】
仮想化環境１１００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路１１６０を備えた、汎用又は専用ネットワークハードウェアデバイス１１３０を備える。各ハードウェアデバイスは、命令１１９５又は処理回路１１６０によって実行されるソフトウェアを一時的に記憶するための非永続メモリでもよいメモリ１１９０−１を備え得る。各ハードウェアデバイスは、物理ネットワークインターフェース１１８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）１１７０を備え得る。各ハードウェアデバイスはまた、ソフトウェア１１９５がそこに記憶された非一時的、永続的、マシン可読記憶媒体１１９０−２、及び／又は処理回路１１６０によって実行可能な命令を含み得る。ソフトウェア１１９５は、１つ又は複数の仮想化レイヤ１１５０（ハイパーバイザとも呼ばれる）のインスタンスを作成するためのソフトウェア、仮想マシン１１４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１６５】
仮想マシン１１４０は、仮想処理、仮想メモリ、仮想ネットワーキング又はインターフェース及び仮想ストレージを備え、対応する仮想化レイヤ１１５０又はハイパーバイザによって実行され得る。仮想アプライアンス１１２０のインスタンスの異なる実施形態は、仮想マシン１１４０のうちの１つ又は複数で実装され得、実装形態は、異なる形で行われ得る。
【０１６６】
動作中、処理回路１１６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ１１５０のインスタンスを作成するために、ソフトウェア１１９５を実行する。仮想化レイヤ１１５０は、仮想マシン１１４０にネットワーキングハードウェアのように見える仮想オペレーティングプラットフォームを示し得る。
【０１６７】
図１１に示されるように、ハードウェア１１３０は、一般又は特定の構成要素を有するスタンドアロンネットワークノードでもよい。ハードウェア１１３０は、アンテナ１１２２５を備え得、仮想化を介していくつかの機能を実装し得る。別法として、ハードウェア１１３０は、多数のハードウェアノードが連携する及び、とりわけアプリケーション１１２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）１１１００を介して管理される、ハードウェアのより大きなクラスタ（たとえば、データセンタ又は顧客構内機器（ＣＰＥ）内など）の一部でもよい。
【０１６８】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１６９】
ＮＦＶとの関連で、仮想マシン１１４０は、プログラムが物理的な非仮想化マシンで実行していたかのようにプログラムを実行する物理マシンのソフトウェア実装形態でもよい。それぞれの仮想マシン１１４０、及びその仮想マシンを実行するハードウェア１１３０のその部分は、それがその仮想マシン専用のハードウェア及び／又は他の仮想マシン１１４０とその仮想マシンによって共用されるハードウェアであれば、別個の仮想ネットワーク要素（ＶＮＥ）を形成する。
【０１７０】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ１１３０の最上部の１つ又は複数の仮想マシン１１４０において実行する特定のネットワーク機能を処理する責任を有し、図１１のアプリケーション１１２０に対応する。
【０１７１】
一部の実施形態では、１つ又は複数の送信器１１２２０及び１つ又は複数の受信器１１２１０をそれぞれ含む１つ又は複数の無線ユニット１１２００は、１つ又は複数のアンテナ１１２２５に連結され得る。無線ユニット１１２００は、１つ又は複数の適切なネットワークインターフェースを介してハードウェアノード１１３０と直接通信することができ、無線アクセスノード又は基地局などの無線能力を有する仮想ノードを提供するために仮想構成要素と組み合わせて使用され得る。
【０１７２】
一部の実施形態では、一部のシグナリングは、別法としてハードウェアノード１１３０と無線ユニット１１２００との間の通信のために使用され得る制御システム１１２３０の使用の影響を受け得る。
【０１７３】
図１２は、ある種の実施形態による、中間ネットワークを介してホストコンピュータに接続された例示的電気通信ネットワークを示す。図１２を参照すると、一実施形態によれば、通信システムは、無線アクセスネットワークなどのアクセスネットワーク１２１１及びコアネットワーク１２１４を備える、３ＧＰＰタイプのセルラネットワークなどの電気通信ネットワーク１２１０を含む。アクセスネットワーク１２１１は、それぞれが対応するカバレッジエリア１２１３ａ、１２１３ｂ、１２１３ｃを規定する、ＮＢ、ｅＮＢ、ｇＮＢ又は他のタイプのワイヤレスアクセスポイントなどの複数の基地局１２１２ａ、１２１２ｂ、１２１２ｃを備える。各基地局１２１２ａ、１２１２ｂ、１２１２ｃは、ワイヤード又はワイヤレス接続１２１５を介してコアネットワーク１２１４に接続可能である。カバレッジエリア１２１３ｃ内に置かれた第１のＵＥ１２９１は、対応する基地局１２１２ｃにワイヤレスで接続される又は対応する基地局１２１２ｃによってページングされるように設定され得る。カバレッジエリア１２１３ａ内の第２のＵＥ１２９２は、対応する基地局１２１２ａにワイヤレスに接続可能である。複数のＵＥ１２９１、１２９２が本例では図示されているが、開示される実施形態は、唯一のＵＥがカバレッジエリア内にある又は唯一のＵＥが対応する基地局１２１２に接続している状況に同等に適用可能である。ある種の実施形態では、複数のＵＥ１２９１、１２９２は、図１９に関して説明されるようなユーザ機器でもよい。
【０１７４】
電気通信ネットワーク１２１０自体は、ホストコンピュータ１２３０に接続され、ホストコンピュータ１２３０は、スタンドアロンサーバ、クラウド実装されたサーバ、分散型サーバのハードウェア及び／又はソフトウェアにおいて或いはサーバファーム内の処理資源として実施され得る。ホストコンピュータ１２３０は、サービスプロバイダの所有権又は制御の下にあってもよく、或いはサービスプロバイダによって又はサービスプロバイダのために動作させられ得る。電気通信ネットワーク１２１０とホストコンピュータ１２３０との接続１２２１及び１２２２は、コアネットワーク１２１４からホストコンピュータ１２３０に直接延びてもよく、或いはオプションの中間ネットワーク１２２０を介してもよい。中間ネットワーク１２２０は、パブリックネットワーク、プライベートネットワーク又はホスト型ネットワークのうちの１つ、又はそれらのうちの２つ以上の組合せでもよく、中間ネットワーク１２２０は、もしあるなら、バックボーンネットワーク又はインターネットでもよく、具体的には、中間ネットワーク１２２０は、２つ以上のサブネットワーク（図示せず）を備え得る。
【０１７５】
全体としての図１２の通信システムは、接続されたＵＥ１２９１、１２９２及びホストコンピュータ１２３０の間の接続性を有効にする。接続性は、オーバーザトップ（ＯＴＴ：ｏｖｅｒ−ｔｈｅ−ｔｏｐ）接続１２５０として説明され得る。ホストコンピュータ１２３０及び接続されたＵＥ１２９１、１２９２は、媒介としてアクセスネットワーク１２１１、コアネットワーク１２１４、任意の中間ネットワーク１２２０及び可能なさらなるインフラストラクチャ（図示せず）を使用し、ＯＴＴ接続１２５０を介してデータ及び／又はシグナリングを通信するように設定される。ＯＴＴ接続１２５０は、ＯＴＴ接続１２５０が通過する参加通信デバイスはアップリンク及びダウンリンク通信のルーティングを認識しないという意味で、透過的になり得る。たとえば、基地局１２１２は、接続されたＵＥ１２９１に転送される（たとえば、ハンドオーバされる）ことになるホストコンピュータ１２３０に由来するデータとの着信ダウンリンク通信の過去のルーティングに関して知らされないことがある、又は知らされる必要はない。同様に、基地局１２１２は、ＵＥ１２９１からホストコンピュータ１２３０に向けて始められる外向きのアップリンク通信の未来のルーティングを認識する必要はない。
【０１７６】
図１３は、いくつかの実施形態による、部分的にワイヤレスな接続を介してユーザ機器と基地局を介して通信する例示的ホストコンピュータを示す。前段落で論じられたＵＥ、基地局及びホストコンピュータの一実施形態による例示的実装形態について、図１３を参照して、ここで説明する。通信システム１３００では、ホストコンピュータ１３１０は、通信システム１３００の異なる通信デバイスのインターフェースとのワイヤード又はワイヤレス接続をセットアップ及び維持するように設定された通信インターフェース１３１６を含むハードウェア１３１５を備える。ホストコンピュータ１３１０はさらに、ストレージ及び／又は処理能力を有し得る処理回路１３１８を備える。具体的には、処理回路１３１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ１３１０はさらに、ホストコンピュータ１３１０に記憶された若しくはこれによってアクセス可能な及び処理回路１３１８によって実行可能な、ソフトウェア１３１１を備える。ソフトウェア１３１１は、ホストアプリケーション１３１２を含む。ホストアプリケーション１３１２は、ＵＥ１３３０及びホストコンピュータ１３１０で終了するＯＴＴ接続１３５０を介して接続するＵＥ１３３０など、リモートユーザにサービスを提供するように動作可能になり得る。サービスのリモートユーザへの提供において、ホストアプリケーション１３１２は、ＯＴＴ接続１３５０を使用して送信されるユーザデータを提供し得る。
【０１７７】
通信システム１３００はさらに、電気通信システムにおいて提供される並びにホストコンピュータ１３１０と及びＵＥ１３３０とそれが通信することを可能にするハードウェア１３２５を備える、基地局１３２０を含む。ハードウェア１３２５は、通信システム１３００の異なる通信デバイスのインターフェースとのワイヤード又はワイヤレス接続をセットアップ及び維持するための通信インターフェース１３２６、並びに基地局１３２０によってサービスされるカバレッジエリア（図１３には図示せず）内に置かれたＵＥ１３３０とのワイヤレス接続１３７０を少なくともセットアップ及び維持するための無線インターフェース１３２７を含み得る。通信インターフェース１３２６は、ホストコンピュータ１３１０への接続１３６０を円滑にするように設定され得る。接続１３６０は直接でもよく、或いは、接続１３６０は、電気通信システムのコアネットワーク（図１３に示さず）を通過及び／又は電気通信システム外部の１つ又は複数の中間ネットワークを通過してもよい。示された実施形態では、基地局１３２０のハードウェア１３２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路１３２８を含む。基地局１３２０はさらに、内部に記憶された又は外部接続を介してアクセス可能なソフトウェア１３２１を有する。
【０１７８】
通信システム１３００はさらに、既に言及されたＵＥ１３３０を含む。ある種の実施形態において、ＵＥ１３３０は、図１９に関して記述されたようなユーザ機器でもよい。それのハードウェア１３３５は、ＵＥ１３３０が現在位置しているカバレッジエリアにサーブする基地局との無線接続１３７０をセットアップ及び保持するように設定された無線インターフェース１３３７を含み得る。ＵＥ１３３０のハードウェア１３３５はさらに、１つ又は複数のプログラマブルプロセッサ、特定用途向け集積回路、フィールドプログラマブルゲートアレイ或いは命令を実行するようになされたこれらの組合せ（図示せず）を含み得る、処理回路１３３８を含む。ＵＥ１３３０はさらに、ＵＥ１３３０に記憶された或いはＵＥ１３３０によってアクセス可能及び処理回路１３３８によって実行可能な、ソフトウェア１３３１を備える。ソフトウェア１３３１は、クライアントアプリケーション１３３２を含む。クライアントアプリケーション１３３２は、ホストコンピュータ１３１０のサポートを有して、ＵＥ１３３０を介して人間又は非人間ユーザにサービスを提供するように動作可能になり得る。ホストコンピュータ１３１０において、ホストアプリケーション１３１２を実行することで、ＵＥ１３３０及びホストコンピュータ１３１０において終了するＯＴＴ接続１３５０を介して、実行中のクライアントアプリケーション１３３２と通信し得る。ユーザへのサービスの提供において、クライアントアプリケーション１３３２は、ホストアプリケーション１３１２から要求データを受信し、要求データに応答してユーザデータを提供し得る。ＯＴＴ接続１３５０は、要求データ及びユーザデータの両方を転送し得る。クライアントアプリケーション１３３２は、それが提供するユーザデータを生成するために、ユーザと相互作用し得る。
【０１７９】
図１３に示されたホストコンピュータ１３１０と、基地局１３２０と、ＵＥ１３３０とは、それぞれ、図１２のホストコンピュータ１２３０と、基地局１２１２ａ、１２１２ｂ、１２１２ｃのうちの１つと、ＵＥ１２９１、１２９２のうちの１つと類似する又は同一であってもよいことに留意されたい。すなわち、これらのエンティティの内部の動きは、図１３に示されるようでもよく、独立して、周囲のネットワークトポロジは、図１２のそれでもよい。
【０１８０】
図１３において、ＯＴＴ接続１３５０は、媒介デバイスの明示的参照及びこれらのデバイスを介するメッセージの正確なルーティングなしに、基地局１３２０を介するホストコンピュータ１３１０とＵＥ１３３０との通信を説明するために抽象的に描かれてある。ネットワークインフラストラクチャは、ルーティングを判定することができ、それは、ＵＥ１３３０から若しくはサービスプロバイダオペレーティングホストコンピュータ１３１０から又はその両方から隠すように設定され得る。ＯＴＴ接続１３５０がアクティブである間、ネットワークインフラストラクチャは、それがルーティングを動的に変更する判定（たとえば、ネットワークの負荷バランシング検討又は再設定に基づく）をさらに行うことができる。
【０１８１】
ＵＥ１３３０と基地局１３２０との間のワイヤレス接続１３７０は、本開示を通じて説明される実施形態の教示に従う。様々な実施形態のうちの１つ又は複数は、ワイヤレス接続１３７０が最後のセグメントを形成する、ＯＴＴ接続１３５０を使用してＵＥ１３３０に提供されるＯＴＴサービスのパフォーマンスを改善する。より厳密には、これらの実施形態の教示は、送信バッファにおける冗長データの処理を改善し、それにより、無線資源利用の効率の改善（たとえば、冗長データを送信しないこと）並びに新データの受信の遅延の低減（たとえば、バッファ内の冗長データを取り除くことによって、新データが、より早く送信され得る）などの利益をもたらす。
【０１８２】
測定プロシージャは、１つ又は複数の実施形態が改善するモニタリングデータレート、レイテンシ及び他の要因を目的として、提供され得る。測定結果の変動に応答して、ホストコンピュータ１３１０とＵＥ１３３０との間のＯＴＴ接続１３５０を再設定するためのオプションのネットワーク機能性がさらに存在し得る。測定プロシージャ及び／又はＯＴＴ接続１３５０を再設定するためのネットワーク機能性は、ホストコンピュータ１３１０のソフトウェア１３１１及びハードウェア１３１５において、又はＵＥ１３３０のソフトウェア１３３１及びハードウェア１３３５において、又はその両方で実装され得る。実施形態において、センサ（図示せず）は、ＯＴＴ接続１３５０が通過する通信デバイスにおいて又はそのような通信デバイスに関連して配備され得、センサは、上記で例示されたモニタされる数量の値を供給すること、或いはそこからソフトウェア１３１１、１３３１がモニタされる数量を計算又は推定し得る他の物理数量の値を供給することによって、測定プロシージャに参加し得る。ＯＴＴ接続１３５０の再設定は、メッセージフォーマット、再送信設定、好ましいルーティングなどを含み得、再設定は基地局１３２０に影響を及ぼす必要はなく、そして、それは基地局１３２０に知られてなくても又は感知できなくてもよい。そのようなプロシージャ及び機能性は、当分野では知られており、実施されることがある。ある種の実施形態では、測定は、スループット、伝搬時間、レイテンシなどのホストコンピュータ１３１０の測定を円滑にする占有ＵＥシグナリングを含み得る。ソフトウェア１３１１及び１３３１が、ＯＴＴ接続１３５０を使用し、それが伝搬時間、エラーなどをモニタする間に、メッセージ、具体的には空の又は「ダミー」メッセージ、を送信させるので、測定は実装され得る。
【０１８３】
図１４は、一部の実施形態によるある種の実施形態による、ホストコンピュータ、基地局及びユーザ機器を含む通信システムにおいて実装される例示的方法を示す。より具体的には、図１４は、１つの実施形態による、通信システムにおいて実装される方法を示す流れ図である。通信システムは、図１９を参照して説明されるユーザ機器でもよいホストコンピュータ、基地局及びＵＥを含む。本開示を簡単にするために、図１４のみの図面の参照が、このセクションに含まれることになる。ステップ１４１０において、ホストコンピュータはユーザデータを提供する。ステップ１４１０のサブステップ１４１１（オプションでもよい）では、ホストコンピュータは、ホストアプリケーションを実行することによって、ユーザデータを提供する。ステップ１４２０では、ホストコンピュータは、ユーザデータをＵＥに運ぶ送信を開始する。ステップ１４３０（オプションでもよい）では、基地局が、本開示を通して説明される実施形態の教示に従って、ホストコンピュータが開始した送信において運ばれたユーザデータをＵＥに送信する。ステップ１４４０（やはりオプションでもよい）で、ＵＥは、ホストコンピュータによって実行されるホストアプリケーションに関連するクライアントアプリケーションを実行する。
【０１８４】
図１５は、一部の実施形態による、ホストコンピュータ、基地局及びユーザ機器を含む通信システムにおいて実装される例示的方法を示す。より具体的には、図１５は、１つの実施形態による、通信システムにおいて実装される方法を示す流れ図である。通信システムは、図１９を参照して説明されるユーザ機器でもよいホストコンピュータ、基地局及びＵＥを含む。本開示を簡単にするために、図１５の図面の参照のみが、このセクションに含まれることになる。本方法のステップ１５１０において、ホストコンピュータはユーザデータを提供する。オプションのサブステップ（図示せず）において、ホストコンピュータは、ホストアプリケーションを実行することによって、ユーザデータを提供する。ステップ１５２０で、ホストコンピュータは、ユーザデータをＵＥに運ぶ送信を開始する。送信は、本開示を通して説明される実施形態の教示によれば、基地局を通り得る。ステップ１５３０（オプションでもよい）で、ＵＥは、その送信で運ばれたユーザデータを受信する。
【０１８５】
図１６は、一部の実施形態による、ホストコンピュータ、基地局及びユーザ機器を含む通信システムにおいて実装される別のさらなる例示的方法を示す。より具体的には、図１６は、１つの実施形態による、通信システムにおいて実装される方法を示す流れ図である。通信システムは、図１９を参照して説明されるユーザ機器でもよいホストコンピュータ、基地局及びＵＥを含む。本開示を簡単にするために、図１６の図面の参照のみが、このセクションに含まれることになる。ステップ１６１０（オプションでもよい）で、ＵＥは、ホストコンピュータによって提供された入力データを受信する。追加で又は別法として、ステップ１６２０で、ＵＥはユーザデータを提供する。ステップ１６２０のサブステップ１６２１（オプションでもよい）で、ＵＥは、クライアントアプリケーションを実行することによって、ユーザデータを提供する。ステップ１６１０のサブステップ１６１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式にかかわらず、ＵＥは、サブステップ１６３０（オプションでもよい）で、ユーザデータのホストコンピュータへの送信を開始する。本方法のステップ１６４０において、ホストコンピュータは、本開示を通して説明される実施形態の教示によれば、ＵＥから送信されたユーザデータを受信する。
【０１８６】
図１７は、一部の実施形態による、ホストコンピュータ、基地局及びユーザ機器を含む通信システムにおいて実装された別の例示的方法を示す。より具体的には、図１７は、１つの実施形態による、通信システムにおいて実装された方法を示す流れ図である。通信システムは、図１９を参照して説明されるユーザ機器でもよいホストコンピュータ、基地局及びＵＥを含む。本開示を簡単にするために、図１７の図面の参照のみが、このセクションに含まれることになる。ステップ１７１０（オプションでもよい）において、本開示を通して説明される実施形態の教示に従って、基地局は、ユーザデータをＵＥから受信する。ステップ１７２０（オプションでもよい）で、基地局は、受信されたユーザデータのホストコンピュータへの送信を開始する。ステップ１７３０（オプションでもよい）で、ホストコンピュータは、基地局によって開始された送信で運ばれたユーザデータを受信する。
【０１８７】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る、メモリに記憶されたプログラムコードを実行するように設定され得る。メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、本開示の１つ又は複数の実施形態による対応する機能をそれぞれの機能ユニットに実行させるために使用され得る。
【０１８８】
図１８は、ある種の実施形態による、ユーザ機器において実行されるもう１つの例示的方法の流れ図である。方法１８００は、第１のＲＬＭパラメータでＲＬＭプロシージャをＵＥが実行するステップ１８１０で開始する。
【０１８９】
ステップ１８２０において、方法１８００は、少なくとも１つの第２のＲＬＭパラメータを含むメッセージをネットワークノードから受信することを含む。ある種の実施形態において、第１のＲＬＭパラメータ及び第２のＲＬＭパラメータは、同期中及び同期外れインジケーションのＲＬＭ参照信号（ＲＬＭ−ＲＳ）資源、同期中及び同期外れインジケーションのブロック誤り率（ＢＬＥＲ）、或いは同期中及び同期外れインジケーションのＲＬＭ−ＲＳ資源及びＢＬＥＲの組合せである。
【０１９０】
ステップ１８３０において、方法１８００は、第１のＲＬＭパラメータと少なくとも１つの第２のＲＬＭパラメータとの差を識別することを含む。ある種の実施形態において、方法１８００は、第１のＲＬＭパラメータは第１のグループのＲＬＭ−ＲＳ資源であることを識別することと、少なくとも１つの第２のＲＬＭパラメータは第１のグループのＲＬＭ−ＲＳ資源に追加された第２のグループのＲＬＭ−ＲＳ資源であることを識別することとを含み得る。ある種の実施形態において、方法１８００は、第１のＲＬＭパラメータは第１のグループのＲＬＭ−ＲＳ資源であることを識別することと、少なくとも１つの第２のＲＬＭパラメータは第１のグループのＲＬＭ−ＲＳ資源のサブセットと置き換わる第２のグループのＲＬＭ−ＲＳ資源であることを識別することとを含み得る。ある種の実施形態において、方法１８００は、第１のＲＬＭパラメータは第１のグループのＲＬＭ−ＲＳ資源であることを識別することと、少なくとも１つの第２のＲＬＭパラメータはＲＬＭ−ＲＳ資源のサブセットを有さない第１のグループのＲＬＭ−ＲＳ資源を含む第２のグループのＲＬＭ−ＲＳ資源であることを識別することとを含み得る。ある種の実施形態において、方法１８００は、第１のＲＬＭパラメータは第１のグループのＲＬＭ−ＲＳ資源であることを識別することと、少なくとも１つの第２のＲＬＭパラメータは第１のグループのＲＬＭ−ＲＳ資源と置き換わる第２のグループのＲＬＭ−ＲＳ資源であることを識別することとを含み得る。ある種の実施形態において、方法１８００は、少なくとも１つの第２のＲＬＭパラメータはＢＬＥＲ閾値を大きくして同期外れインジケーションを生成することを識別することを含み得る。ある種の実施形態において、方法１８００は、少なくとも１つの第２のＲＬＭパラメータがＢＬＥＲ閾値を小さくして同期外れインジケーションを生成することを識別することを含み得る。ある種の実施形態において、方法１８００は、少なくとも１つの第２のＲＬＭパラメータはＢＬＥＲ閾値を大きくして同期中インジケーションを生成することを識別することを含み得る。ある種の実施形態において、方法１８００は、少なくとも１つの第２のＲＬＭパラメータがＢＬＥＲ閾値を小さくして同期中インジケーションを生成することを識別することを含み得る。
【０１９１】
ステップ１８４０において、方法１８００は、第１のＲＬＭパラメータと第２のＲＬＭパラメータとの間の変化のタイプを判定することを含む。ある種の実施形態において、方法１８００は、第１のグループのＲＬＭ−ＲＳ資源が第２のグループのＲＬＭ−ＲＳ資源と同タイプのＲＬＭ−ＲＳ資源であるか否かを判定することを含み得る。
【０１９２】
ステップ１８５０において、方法１８００は、第１のＲＬＭパラメータと第２のＲＬＭパラメータとの差を識別したことに応答して第１のＲＬＭパラメータのうちの少なくとも１つをリセットすることを含む。ある種の実施形態において、方法１８００は、同期外れインジケーションを生成するためにＢＬＥＲ閾値を大きくする又は小さくする第２のＲＬＭパラメータに応答して少なくとも１つの同期外れカウンタをリセットすることを含み得る。ある種の実施形態において、方法１８００は、同期中インジケーションを生成するためにＢＬＥＲ閾値を大きくする又は小さくする第２のＲＬＭパラメータに応答して少なくとも１つの同期中カウンタをリセットすることを含み得る。ある種の実施形態において、方法１８００は、第１のグループのＲＬＭ−ＲＳ資源が第２のグループのＲＬＭ−ＲＳ資源と同タイプのＲＬＭ−ＲＳ資源であるときに、少なくとも１つのタイマ又はカウンタをリセットすることを含み得る。ある種の実施形態において、方法１８００は、第１のグループのＲＬＭ−ＲＳ資源が、第２のグループのＲＬＭ−ＲＳ資源と同タイプのＲＬＭ−ＲＳ資源ではないときに、タイマもカウンタもリセットしないことを含み得る。
【０１９３】
ある種の実施形態において、方法１８００はさらに、第１のグループのＲＬＭ−ＲＳ資源及び追加された第２のグループのＲＬＭ−ＲＳ資源を適応させることを含み得る。ある種の実施形態において、方法１８００はさらに、部分的に置き換えられた第１のグループのＲＬＭ−ＲＳ資源及び置き換わる第２のグループのＲＬＭ−ＲＳ資源を適応させることを含み得る。ある種の実施形態において、方法１８００はさらに、ＲＬＭ−ＲＳ資源のサブセットを有さない第１のグループのＲＬＭ−ＲＳ資源を適応させることを含み得る。ある種の実施形態において、方法１８００はさらに、第２のグループのＲＬＭ−ＲＳ資源を適応させることを含み得る。ある種の実施形態において、方法１８００はさらに、少なくとも１つの無線リンク故障（ＲＬＦ）関連タイマを停止させることを含み得る。
【０１９４】
図１９は、ある種の実施形態による、例示的ユーザ機器の概略的ブロック図である。ユーザ機器１９００は、ワイヤレスネットワーク（たとえば、図９に示すワイヤレスネットワーク９０６）において使用され得る。ユーザ機器１９００は、図９に示すワイヤレスデバイス９１０において実装され得る。ユーザ機器１９００は、図１８を参照して説明される例示的方法及び場合により本明細書で開示される任意の他のプロセス又は方法を実行するように動作可能である。図１８の方法は、必ずしもユーザ機器１９００だけによって実行されないこともまた理解されたい。方法の少なくとも一部の動作は、１つ又は複数の他のエンティティによって実行することができる。
【０１９５】
ユーザ機器１９００は、１つ又は複数のマイクロプロセッサ又はマイクロコントローラを含み得る処理回路、並びに、デジタル信号プロセッサ（ＤＳＰ）、専用デジタルロジックなどを含み得る他のデジタルハードウェアを備え得る。いくつかの実施形態では、ユーザ機器１９００の処理回路は、図９に示す処理回路９２０でもよい。いくつかの実施形態では、ユーザ機器１９００の処理回路は、図１０に示すプロセッサ１００１でもよい。処理回路は、読取り専用メモリ（ＲＯＭ）、ランダムアクセスメモリ、キャッシュメモリ、フラッシュメモリデバイス、光記憶デバイスなどの、１つの又はいくつかのタイプのメモリを含み得る、図１０に示すメモリ１０１５に記憶されたプログラムコードを実行するように設定され得る。いくつかの実施形態では、メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、送信器及び受信器など、本開示の１つ又は複数の実施形態による対応する機能を実行ユニット１９１０、受信ユニット１９２０、識別ユニット１９３０、判定ユニット１９４０、及びリセットユニット１９５０、及びユーザ機器１９００の任意の他の適切なユニットに実行させるために使用され得る。
【０１９６】
図１９に示すように、ユーザ機器１９００は、実行ユニット１９１０、受信ユニット１９２０、識別ユニット１９３０、判定ユニット１９４０、及びリセットユニット１９５０を含む。実行ユニット１９１０は、第１のＲＬＭパラメータでＲＬＭプロシージャを実行するように設定され得る。
【０１９７】
受信ユニット１９２０は、少なくとも１つの第２のＲＬＭパラメータを含むメッセージをネットワークノードから受信するように設定され得る。ある種の実施形態において、第１のＲＬＭパラメータ及び第２のＲＬＭパラメータは、同期中及び同期外れインジケーションのＲＬＭ参照信号（ＲＬＭ−ＲＳ）資源、同期中及び同期外れインジケーションのブロック誤り率（ＢＬＥＲ）、或いは同期中及び同期外れインジケーションのＲＬＭ−ＲＳ資源及びＢＬＥＲの組合せである。
【０１９８】
識別ユニット１９３０は、第１のＲＬＭパラメータと少なくとも１つの第２のＲＬＭパラメータとの差を識別するように設定され得る。ある種の実施形態において、識別ユニット１９３０は、第１のＲＬＭパラメータは第１のグループのＲＬＭ−ＲＳ資源であることを識別することと、少なくとも１つの第２のＲＬＭパラメータは第１のグループのＲＬＭ−ＲＳ資源に追加された第２のグループのＲＬＭ−ＲＳ資源であることを識別することとを行うように設定され得る。ある種の実施形態において、識別ユニット１９３０は、第１のＲＬＭパラメータは第１のグループのＲＬＭ−ＲＳ資源であることを識別することと、少なくとも１つの第２のＲＬＭパラメータは第１のグループのＲＬＭ−ＲＳ資源のサブセットと置き換わる第２のグループのＲＬＭ−ＲＳ資源であることを識別することとを行うように設定され得る。ある種の実施形態において、識別ユニット１９３０は、第１のＲＬＭパラメータは第１のグループのＲＬＭ−ＲＳ資源であることを識別することと、少なくとも１つの第２のＲＬＭパラメータはＲＬＭ−ＲＳ資源のサブセットを有さない第１のグループのＲＬＭ−ＲＳ資源を含む第２のグループのＲＬＭ−ＲＳ資源であることを識別することとを行うように設定され得る。ある種の実施形態において、識別ユニット１９３０は、第１のＲＬＭパラメータは第１のグループのＲＬＭ−ＲＳ資源であることを識別することと、少なくとも１つの第２のＲＬＭパラメータは第１のグループのＲＬＭ−ＲＳ資源と置き換わる第２のグループのＲＬＭ−ＲＳ資源であることを識別することとを行うように設定され得る。ある種の実施形態において、識別ユニット１９３０は、少なくとも１つの第２のＲＬＭパラメータはＢＬＥＲ閾値を大きくして同期外れインジケーションを生成することを識別するように設定され得る。ある種の実施形態において、識別ユニット１９３０は、少なくとも１つの第２のＲＬＭパラメータはＢＬＥＲ閾値を小さくして同期外れインジケーションを生成することを識別するように設定され得る。ある種の実施形態において、識別ユニット１９３０は、少なくとも１つの第２のＲＬＭパラメータがＢＬＥＲ閾値を大きくして同期中インジケーションを生成することを識別するように設定され得る。ある種の実施形態において、識別ユニット１９３０は、少なくとも１つの第２のＲＬＭパラメータがＢＬＥＲ閾値を小さくして同期中インジケーションを生成することを識別するように設定され得る。
【０１９９】
判定ユニット１９４０は、第１のＲＬＭパラメータと第２のＲＬＭパラメータとの間の変化のタイプを判定するように設定され得る。ある種の実施形態において、判定ユニット１９４０は、第１のグループのＲＬＭ−ＲＳ資源が第２のグループのＲＬＭ−ＲＳ資源と同タイプのＲＬＭ−ＲＳ資源であるか否かを判定するように設定され得る。
【０２００】
リセットユニット１９５０は、第１のＲＬＭパラメータと第２のＲＬＭパラメータとの差を識別したことに応答して第１のＲＬＭパラメータのうちの少なくとも１つをリセットするように設定され得る。ある種の実施形態において、リセットユニット１９５０は、同期外れインジケーションを生成するためにＢＬＥＲ閾値を大きくする又は小さくする第２のＲＬＭパラメータに応答して少なくとも１つの同期外れカウンタをリセットするように設定され得る。ある種の実施形態において、リセットユニット１９５０は、同期中インジケーションを生成するためにＢＬＥＲ閾値を大きくする又は小さくする第２のＲＬＭパラメータに応答して少なくとも１つの同期中カウンタをリセットするように設定され得る。ある種の実施形態において、リセットユニット１９５０は、第１のグループのＲＬＭ−ＲＳ資源が第２のグループのＲＬＭ−ＲＳ資源と同タイプのＲＬＭ−ＲＳ資源であるときに、少なくとも１つのタイマ又はカウンタをリセットするように設定され得る。ある種の実施形態において、リセットユニット１９５０は、第１のグループのＲＬＭ−ＲＳ資源が第２のグループのＲＬＭ−ＲＳ資源と同タイプのＲＬＭ−ＲＳ資源ではないとき、タイマもカウンタもリセットしないように設定され得る。
【０２０１】
ある種の実施形態において、ＵＥ１９００はさらに、第１のグループのＲＬＭ−ＲＳ資源及び追加された第２のグループのＲＬＭ−ＲＳ資源を適応させるように設定され得る。ある種の実施形態において、ＵＥ１９００はさらに、部分的に置き換えられた第１のグループのＲＬＭ−ＲＳ資源及び置き換わる第２のグループのＲＬＭ−ＲＳ資源を適応させるように設定され得る。ある種の実施形態において、ＵＥ１９００はさらに、ＲＬＭ−ＲＳ資源のサブセットを有さない第１のグループのＲＬＭ−ＲＳ資源を適応させるように設定され得る。ある種の実施形態において、ＵＥ１９００はさらに、第２のグループのＲＬＭ−ＲＳ資源を適応させるように設定され得る。ある種の実施形態において、ＵＥ１９００はさらに、少なくとも１つの無線リンク故障（ＲＬＦ）関連タイマを停止するように設定され得る。
【０２０２】
ユニットという用語は、電子工学、電気デバイス及び／又は電子デバイスの分野における従来の意味を有し得、たとえば、本明細書に記載されているものなどのような、電気及び／又は電子回路、デバイス、モジュール、プロセッサ、受信器、送信器、メモリ、ロジックソリッドステート及び／又はディスクリートデバイス、それぞれのタスク、プロシージャ、計算、出力、及び／又は表示機能を実行するためのコンピュータプログラム又は命令などを含み得る。
【０２０３】
様々な実施形態によれば、本明細書に記載の特徴の利点は、ＵＥが、現在のＲＬＭパラメータを実行しつつ、現在のＲＬＭパラメータと将来のＲＬＭパラメータとの差を適応させることによって将来のＲＬＭパラメータを適応させるに設定され得るように、その差を識別することによってＵＥを設定したときに安定した及び連続的な無線リンクモニタリングを提供することである。
【０２０４】
図中のプロセスは、本発明のある種の実施形態によって実行される特定の順序の動作を示し得るが、そのような順序は例示であることを理解されたい（たとえば、代替実施形態は、異なる順序でそれらの動作を実行する、ある種の動作を結合させる、ある種の動作をオーバーラップするなどし得る）。
【０２０５】
本発明は、いくつかの実施形態に関して説明されているが、本発明は、記載されている実施形態に限定されず、添付の特許請求の範囲の趣旨及び範囲内の修正及び変更を有して実施され得ることが、当業者には認められよう。したがって、本明細書は、制限ではなく例示と見なされるものとする。
【図１】
2021503753.tif 000007
【図２】
2021503753.tif 000008
【図３】
2021503753.tif 000009
【図４】
2021503753.tif 000010
【図５】
2021503753.tif 000011
【図６】
2021503753.tif 000012
【図７】
2021503753.tif 000013
【図８】
2021503753.tif 000014
【図９】
2021503753.tif 000015
【図１０】
2021503753.tif 000016
【図１１】
2021503753.tif 000017
【図１２】
2021503753.tif 000018
【図１３】
2021503753.tif 000019
【図１４】
2021503753.tif 000020
【図１５】
2021503753.tif 000021
【図１６】
2021503753.tif 000022
【図１７】
2021503753.tif 000023
【図１８】
2021503753.tif 000024
【図１９】
2021503753.tif 000025
【国際調査報告】
2021503753.tif 000026
2021503753.tif 000027
2021503753.tif 000028
2021503753.tif 000029
2021503753.tif 000030